(57)【特許請求の範囲】
【請求項１】
パーソナルケア物品において、
（１）低せん断粘度が３００ｃｐｓ〜１５００ｃｐｓのパーソナルケア組成物であって、ずり減粘性であるパーソナルケア組成物と、
（２）手動式のノンエアゾールタイプでありかつしぼり出し式フォーマーであるディスペンサと
を備え、
前記ディスペンサは、
（ａ）泡の形態で注出される液体を収容する収容容器であって、前記収容容器が、前記収容容器内に収容される前記パーソナルケア組成物の容積よりも大きくなるような収容容積を含み、前記収容容器が更にヘッドスペースを含み、前記ヘッドスペースは空気を含む、収容容器と、
（ｂ）前記収容容器の開口部上に又は開口部内に取り付け可能なフォーマーアッセンブリであって、前記フォーマーアッセンブリが、ディップチューブ、混合チャンバ及び注出ヘッドを含み、前記ディップチューブが前記収容容器内に延びかつ前記パーソナルケア組成物と接触し、前記ディップチューブが前記混合チャンバと前記パーソナルケア組成物とを流体連通し、前記混合チャンバが前記注出ヘッドに流体連通し、前記注出ヘッドが前記注出ヘッド内に収容された泡流体接続部を含み、かつ前記注出ヘッドが注出開口部を更に含み、前記泡流体接続部が、１つ以上の多孔質要素を含有する、フォーマーアッセンブリと
を含み、
前記混合チャンバが、前記混合チャンバの内部容積を画定する外側壁を含み、前記外側壁が周縁を有する頂端部を含み、前記周縁が頂部面積を画定し、前記混合チャンバが更に、少なくとも１つの空気進入開口部、少なくとも１つの液体進入開口部、及び、０．３１４ｍｍ2〜９．４２ｍｍ2の面積を有する少なくとも１つの混合チャンバ退出開口部を含み、
前記１つ以上の多孔質要素が３つのメッシュを含み、２つの前記メッシュが前記混合チャンバ退出開口部と極近接して互いに隣接し、１つの前記メッシュが前記注出開口部に極近接して位置し、
パーソナルケア組成物対空気の比が、１：８〜１：１５となるように、前記少なくとも１つの空気進入開口部及び前記少なくとも１つの液体進入開口部が選択され、
前記ディスペンサが、泡の比体積が６ｍＬ／ｇ〜１４ｍＬ／ｇである起泡させたパーソナルケア組成物を注出する、パーソナルケア物品。
【請求項２】
パーソナルケア物品において、
（１）低せん断粘度が３００ｃｐｓ〜１５００ｃｐｓのパーソナルケア組成物であって、ずり減粘性であるパーソナルケア組成物と、
（２）手動式のノンエアゾールタイプでありかつしぼり出し式フォーマーであるディスペンサと
を備え、
前記ディスペンサは、
（ａ）泡の形態で注出される液体を収容する収容容器であって、前記収容容器が、前記収容容器内に収容される前記パーソナルケア組成物の容積よりも大きくなるような収容容積を含み、前記収容容器が更にヘッドスペースを含み、前記ヘッドスペースが空気を含む、収容容器と、
（ｂ）前記収容容器の開口部上に又は開口部内に取り付け可能なフォーマーアッセンブリであって、前記フォーマーアッセンブリが、ディップチューブ、混合チャンバ及び注出ヘッドを含み、前記ディップチューブが前記収容容器内に延びかつ前記パーソナルケア組成物と接触し、前記ディップチューブが前記混合チャンバと前記パーソナルケア組成物とを流体連通し、前記混合チャンバが前記注出ヘッドに流体連通し、前記注出ヘッドが前記注出ヘッド内に収容された泡流体接続部を含み、かつ前記注出ヘッドが注出開口部を更に含み、前記泡流体接続部が、１つ以上の多孔質要素を含有する、フォーマーアッセンブリと
を含み、
前記混合チャンバが、前記混合チャンバの内部容積を画定する外側壁を含み、前記外側壁が周縁を有する頂端部を含み、前記周縁が頂部面積を画定し、前記混合チャンバが更に、少なくとも１つの空気進入開口部、少なくとも１つの液体進入開口部、及び、０．３１４ｍｍ2〜９．４２ｍｍ2の面積を有する少なくとも１つの混合チャンバ退出開口部を含み、
前記１つ以上の多孔質要素が３つのメッシュを含み、２つの前記メッシュが前記混合チャンバ退出開口部と極近接して互いに隣接し、１つの前記メッシュが前記注出開口部に極近接して位置し、
前記混合チャンバ退出開口部の面積が、前記混合チャンバの前記頂部面積よりも小さくなるよう選択され、
前記ディスペンサが、泡の比体積が６ｍＬ／ｇ〜１４ｍＬ／ｇである起泡させたパーソナルケア組成物を注出する、パーソナルケア物品。
【請求項３】
パーソナルケア物品において、
（１）低せん断粘度が３００ｃｐｓ〜１５００ｃｐｓのパーソナルケア組成物であって、ずり減粘性であるパーソナルケア組成物と、
（２）手動式のノンエアゾールタイプでありかつしぼり出し式フォーマーであるディスペンサと
を備え、
前記ディスペンサは、
（ａ）泡の形態で注出される液体を収容する収容容器であって、前記収容容器が、前記収容容器内に収容される前記パーソナルケア組成物の容積よりも大きくなるような収容容積を含み、前記収容容器が更にヘッドスペースを含み、前記ヘッドスペースは空気を含む、収容容器と、
（ｂ）前記収容容器の開口部上に又は開口部内に取り付け可能なフォーマーアッセンブリであって、前記フォーマーアッセンブリが、ディップチューブ、混合チャンバ及び注出ヘッドを含み、前記ディップチューブが前記収容容器内に延びかつ前記パーソナルケア組成物と接触し、前記ディップチューブが前記混合チャンバと前記パーソナルケア組成物とを流体連通し、前記混合チャンバが前記注出ヘッドに流体連通し、前記注出ヘッドが前記注出ヘッド内に収容された泡流体接続部を含み、かつ前記注出ヘッドが注出開口部を更に含み、前記泡流体接続部が、１つ以上の多孔質要素を含有する、フォーマーアッセンブリと
を含み、
前記混合チャンバが、前記混合チャンバの内部容積を画定する外側壁を含み、前記外側壁が周縁を有する頂端部を含み、前記周縁が頂部面積を画定し、前記混合チャンバが更に、少なくとも１つの空気進入開口部、少なくとも１つの液体進入開口部、及び、０．３１４ｍｍ2〜９．４２ｍｍ2の面積を有する少なくとも１つの混合チャンバ退出開口部を含み、
前記１つ以上の多孔質要素が３つのメッシュを含み、２つの前記メッシュが前記混合チャンバ退出開口部と極近接して互いに隣接し、１つの前記メッシュが前記注出開口部に極近接して位置し、
前記少なくとも１つの空気進入開口部及び前記少なくとも１つの液体進入開口部は、前記ディスペンサが、６ｍＬ／ｇ〜１４ｍＬ／ｇの泡の比体積で３ｍＬ／ストローク〜７０ｍＬ／ストロークの泡吐出量を有するよう選択される、パーソナルケア物品。
【請求項４】
前記ディスペンサが、３ｍＬ／ストローク〜７０ｍＬ／ストロークである１ストローク当たりの泡吐出量を有する、請求項１または２に記載のパーソナルケア物品。
【請求項５】
前記ディスペンサが、０．５グラム／ストローク〜５．０グラム／ストロークである１ストローク当たりの泡吐出量を有する、請求項１〜４のいずれか一項に記載のパーソナルケア物品。
【請求項６】
前記パーソナルケア組成物を空気と混合させるように、前記少なくとも１つの空気進入開口部及び前記少なくとも１つの液体進入開口部を配向させる、請求項１〜５のいずれか一項に記載のパーソナルケア物品。
【請求項７】
前記混合チャンバが更にディフューザプレートを含み、前記ディフューザプレートが前記混合チャンバ退出開口部を含む、請求項１〜６のいずれか一項に記載のパーソナルケア物品。
【請求項８】
前記混合チャンバ退出開口部が、２．５１２ｍｍ2〜５．６５２ｍｍ2の面積を有する、請求項１〜７のいずれか一項に記載のパーソナルケア物品。
【請求項９】
前記ヘッドスペースの空気が、前記空気進入開口部から前記混合チャンバに入り、前記ヘッドスペースが、前記空気進入開口部を通る前記混合チャンバへの直接連通路に存在する、請求項１〜８のいずれか一項に記載のパーソナルケア物品。
【請求項１０】
前記収容容器を、前記ディップチューブを介し前記混合チャンバと間接的に連通させることで、前記パーソナルケア組成物が、前記収容容器から前記混合チャンバへと流体連通する、請求項１〜９のいずれか一項に記載のパーソナルケア物品。
【請求項１１】
前記パーソナルケア組成物が、前記収容容器から、前記ディップチューブを通って、前記混合チャンバの外部にある空隙容積部へと移送される、請求項１０に記載のパーソナルケア物品。
【請求項１２】
前記混合チャンバ退出開口部と極近接した前記２つのメッシュが１７０マイクロメートル（μ）の開口寸法を有し、前記注出開口部に極近接して位置する前記１つのメッシュが７０マイクロメートル（μ）の開口寸法を有する、請求項１〜１１のいずれか一項に記載のパーソナルケア物品。
【発明の詳細な説明】
【技術分野】
【０００１】
本発明は所望の泡特性を生じる起泡式ディスペンサと組み合わせて使用するための、高粘度のパーソナルケア組成物に関する。
【背景技術】
【０００２】
パーソナルケア組成物などの消費者製品に所望される泡特性は、最終用途及び消費者期待によって決まる。消費者が起泡させた製品が、消費者の手以外の表面に適用されることが見込まれる場合に、許容され得る泡特性を定義する特性が存在する。パーソナルケア組成物に許容され得る泡特性は、消費者の手から、消費者の体（例えば、毛髪、顔、腕、足など）上の所望の位置に移すために、形状を保持し、一定の形態を維持する泡により例示される。泡の崩壊が時期尚早に生じ、液体になる場合、適用の際に消費者の手が任意に動くことで、具体的には手のひらが水平位置から非水平位置に動くことで、消費者の手から泡がすべり、滴り落ちるか、さもなければ所望の位置に適用するよりも先に泡が移動してしまう恐れがあり、これは望ましくないものであると考えられる。接触している表面の色又は色調を変化させ得るパーソナルケア組成物（例えば、染毛組成物又は美白若しくは皮膚着色（skin lightening ortinting）組成物など）を取り扱っているときに、この泡特性は特に望ましくないものである。
【０００３】
同様に、泡の「空気含有量が多過ぎる」場合、泡が組成物よりも空気を多く含有するほど、投与あたりのパーソナルケア組成物の量が減少することから、消費者はパーソナルケア組成物をより高頻度に適用しなくてはならなくなる。
【０００４】
本明細書で有用な手動式のノンエアゾールタイプのディスペンサとしては、しぼり出し式フォーマーが挙げられる。このようなフォーマーを操作する基本機構により、収容容器から、容器内に収容された液体と空気が混合される液体／空気混合チャンバへと液体が汲み出される。泡を生成し（空気が液体中に入る）、次いでスクリーンを１つ以上通過させて洗練（refine）させ、次いで抽出する。従来このようなフォーマーで使用されていた液体は、粘度（２５℃）が１００ｃｐｓ（０．１パスカル秒）以下である場合に高粘度であるとして記載された。米国特許出願公開第２００４／０２５４２５３号明細書（特許文献１）を参照されたい。しかしながら、このようなフォーマー用には、３００ｃｐｓ（０．３パスカル秒）以下の粘度（２５℃）の液体が議論されてきた。米国特許出願公開第２００４／０２１３７５２号明細書（特許文献２）を参照されたい。起泡したパーソナル洗浄組成物の粘度を増加させるためにポリマーを使用することは既知であるが、組成物の想定粘度は１００ｃｐｓ（０．１パスカル秒）未満となるよう想定される。国際公開第９１／１４７５９号（特許文献３）を参照されたい。
【先行技術文献】
【特許文献】
【０００５】
【特許文献１】米国特許出願公開第２００４／０２５４２５３号明細書
【特許文献２】米国特許出願公開第２００４／０２１３７５２号明細書
【特許文献３】国際公開第９１／１４７５９号
【発明の概要】
【発明が解決しようとする課題】
【０００６】
手動式のノンエアゾールタイプの抽出フォーマーを操作して泡を生成する操作下での、この手法の１つの障害としては、高粘度の材料（３００ｃｐｓ又は０．３パスカル秒超）は、起泡容器から高粘度の液体を吐出するのに必要とされる（対象をある距離にわたり移動させるために適用される）仕事量を大きくし、しぼり出しにくくすることが挙げられる。
【０００７】
本発明の更なる利点には、得られる起泡させたパーソナルケア組成物の所望の泡の比体積、手動式のノンエアゾールタイプのディスペンサを作動させるのに必要とされる力の減少、染色結果が改善されるなどパーソナルケア組成物に関する仕上がりの改善、及び吐出あたりに供給されるパーソナルケア製品の量の改善が挙げられる。本開示は、所望の量の泡を吐出させるのに必要とされる仕事量の減少により、所望される泡の比体積を実質的に維持しつつ、泡状パーソナルケア組成物の抽出しやすさを改善する。
【課題を解決するための手段】
【０００８】
パーソナルケア物品において、（１）低せん断粘度が少なくとも１００ｃｐｓのパーソナルケア組成物であって、ずり減粘性であるパーソナルケア組成物と、（２）手動式のノンエアゾールタイプのディスペンサとを備え、前記ディスペンサは、とを備え、前記ディスペンサは、（ａ）泡の形態で抽出される液体を収容する収容容器であって、収容容器内に収容されるパーソナルケア組成物の体積よりも大きくなるような収容容器容積を含み、収容容器は更にヘッドスペースを含み、ヘッドスペースは空気を含む、収容容器と、（ｂ）収容容器の開口部上に又は開口部内に取り付け可能なフォーマーアッセンブリであって、フォーマーアッセンブリは、ディップチューブ、混合チャンバ及び抽出ヘッドを含み、ディップチューブは収容容器内に延びかつパーソナルケア組成物と接触し、ディップチューブはパーソナルケア組成物を混合チャンバと流体連通し、混合チャンバは抽出ヘッドに流体連通し、抽出ヘッドは抽出ヘッド内に収容された泡流体接続部を含み、かつ抽出ヘッドは抽出開口部を更に含み、泡流体接続部は、１つ以上の多孔質要素を含有する、フォーマーアッセンブリとを含み、混合チャンバは、混合チャンバの内部容積を画定する外側壁を含み、外側壁は周縁を有する頂端部を含み、周縁は頂部面積を画定し、混合チャンバは更に少なくとも１つの空気進入開口部、少なくとも１つの液体進入開口部及び少なくとも１つの混合チャンバ退出開口部を含み、
ここで、パーソナルケア組成物対空気比が、約１：６〜約１：１５、好ましくは約１：８〜約１：１２、好ましくは１：１０となるように、少なくとも１つの空気進入開口部及び少なくとも１つの液体進入開口部が選択され、又は
混合チャンバ退出開口部面積は、混合チャンバの外側壁の頂端部周辺面積よりも小さくなるよう選択され、又は
少なくとも１つの空気進入開口部及び少なくとも１つの液体進入開口部は、手動式のノンエアゾールタイプのディスペンサが、泡の比体積が約６ｍＬ／ｇ〜１４ｍＬ／ｇの、約０．５ｇ／ストローク〜５．０ｇ／ストロークの泡吐出量を有するよう選択される、フォーマーアッセンブリを含む、パーソナルケア物品。
【図面の簡単な説明】
【０００９】
【図１】手動式のノンエアゾールタイプのディスペンサの実施形態の断面図の例示。
【図１Ａ】図１の１Ａ−１Ａに沿って取った、ディスペンサの散布開口部又は混合チャンバ退出開口部付近に配置したメッシュの拡大図。
【図１Ｂ】図１の１Ｂ−１Ｂに沿って取った、ディスペンサのヘッド開口部付近に配置したメッシュの拡大図。
【図２】図１のディスペンサのディスペンサヘッドの分解図。
【図３】本開示の手動式のノンエアゾールタイプのディスペンサの代替え的な実施形態の断面図。
【図３Ａ】図３の３Ａ−３Ａに沿って取った、ディスペンサの散布開口部又は混合チャンバ退出開口部付近に配置したメッシュの拡大図。
【図３Ｂ】図３の３Ｂ−３Ｂに沿って取った、ディスペンサのヘッド開口部付近に配置したメッシュの拡大図。
【図４】図３のディスペンサのディスペンサヘッドの分解図。
【図５】下記の粘度試験法に記載される混合デバイスの透視図。
【図６】下記の粘度試験法に記載される混合デバイスの正面図。
【図７】下記の粘度試験法に記載される混合デバイスの背面図。
【発明を実施するための形態】
【００１０】
本出願のパーソナルケア物品は、所望される混合粘度又は低せん断粘度を有しているなど、特定のレオロジー特性を備えるパーソナルケア組成物を利用するものであり、かつ本組成物は、パーソナルケア組成物の抽出時にずり減粘性である（例えば、組成物にせん断力が適用されるにつれて粘度が減少する）。
【００１１】
所望される粘度特性は、パーソナルケア組成物と接触させた場合に、所望される消費者経験を保証するものである。泡の比体積は、レオロジー特性及び液体対空気比により影響を受ける。起泡させ、泡を崩壊させた後の組成物のレオロジー特性は、組成物が、毛髪などの、適用された表面から滴り落ちたり、又は流れたりしないように選択される。
【００１２】
本明細書で使用するとき、用語、「泡」は、手動式のノンエアゾールタイプのディスペンサを通過させた後にパーソナルケア組成物が有する気泡群を意味するものであり、気泡群は形状を維持し、かつ容器の種類とは独立して容量を与えるものである。好ましくは、泡の比体積の容量は約６ｍＬ／ｇ〜約１４ｍＬ／ｇ、例えば、約７．５ｍＬ／ｇ〜約１２ｍＬ／ｇ、約８ｍＬ／ｇ〜約１１ｍＬ／ｇである。一実施形態では、泡の比体積は約１０ｍＬ／ｇである。
【００１３】
本明細書で使用するとき、「ストローク」は、壁などの垂直方向に平らな表面に対して配置された収容容器を、収容容器の、反対側の壁に向けて、１秒当たり３０ｍｍ〜２０ｍｍの速度で屈曲させることを意味する。「しぼり出す」又は「抽出する」も用語「ストローク」に包含される。
【００１４】
手動式のノンエアゾールタイプのディスペンサは、所望により、１ストローク又は１しぼり出し当たりの泡吐出量が約０．５グラム／ストローク、約５．０グラム／ストローク、好ましくは約０．８グラム／ストローク〜約４．０グラム／ストローク、好ましくは約１．０グラム／ストローク〜約４．０グラム／ストロークであるよう設計される。一実施形態では、手動式のノンエアゾールタイプのディスペンサは、所望により、１ストローク又は１しぼり出し当たりの泡吐出量が約１．８グラム／ストローク〜約２．２グラム／ストロークであるよう設計される。
【００１５】
手動式のノンエアゾールタイプのディスペンサは、所望により、１ストローク又は１しぼり出し当たりの泡吐出量が約３ｍＬ／ストローク〜約７０ｍＬ／スロトーク、好ましくは約７６ｍＬ／ストローク〜約４８ｍＬ／ストローク、好ましくは約８ｍＬ／ストローク〜約４４ｍＬ／ストローク、好ましくは約１８ｍＬ／ストローク〜約２２ｍＬ／ストロークであるよう設計される。
【００１６】
出願者らは、泡の比体積が上記の範囲に収まると、起泡させたパーソナルケア組成物が湿潤しすぎていることも（すべりや滴下が生じる）、あるいは乾燥しすぎていることも（製品の付着が少量）なく、消費者により所望される体験が与えられることを見出した。泡の比体積は、消費者によるしぼり出しから加えられる力の量によりある程度制御され、かつ泡吐出量及び泡の比体積は、消費者ごとに変化し得ることが予想される。
【００１７】
泡を生成するための手動式のノンエアゾールタイプのディスペンサが当該技術分野において周知である。これらの泡ディスペンサは、泡形態で抽出される液体を保持するための収容容器を含む。収容容器は、収容容器上に取り付けることができ、あるいは開口させることのできるアッセンブリを備えるものである。組立体は、収容容器内に延び、パーソナルケア組成物と接触し、かつ収容容器から混合チャンバへと反対方向に延びるディップチューブ、収容容器から液体を汲み出すための液体ポンプ、及び泡を生成するために、混合チャンバ内の液体を空気と混合させるためのエアポンプ、を含む。泡は混合チャンバから抽出され、抽出開口部を含む抽出ヘッドの外側にある抽出チャネルを通過する。分配チャネルには、均質な泡が形成されるようシーブ又はスクリーンなどの１つ以上の多孔質要素を配置することができる。
【００１８】
本明細書に記載の、高粘度（３００ｃｐｓ（０．３パスカル秒）超）のパーソナルケア組成物を抽出するのに必要とされる仕事量は、泡状ハンドソープ製品などの既知の低粘度のパーソナルケア組成物と比べて独自のものである系内で、液体よりも空気を動かすのにより多くの仕事量が見込まれる点が、低粘度のパーソナルケア組成物に独自な点である。粘度がより高いパーソナルケア組成物（３００ｃｐｓ（０．３パスカル秒）超）に関しては、かかる系内で、空気よりも液体を動かすのにより多くの仕事量が見込まれる。
【００１９】
高粘度のパーソナルケア組成物の使用、及びより高粘度のパーソナルケア組成物を移動させるのに必要とされる仕事量は、本明細書で使用するのに好適な手動式のノンエアゾールタイプのディスペンサにおいて生成されるせん断力の程度に関し、更に独特の問題を保有している。高粘度のパーソナルケア組成物を使用することで、液体対空気比に更に影響が与えられる。液体（パーソナルケア組成物）対空気比は約１：６〜約１：１５、好ましくは約１：８〜約１：１２、好ましくは１：１０である。
【００２０】
仕事量、せん断力の生成、せん断時液体滞留時間及び液体対空気比は、手動式のノンエアゾールタイプのディスペンサの構成に起因する特徴である。手動式のノンエアゾールタイプのディスペンサに抽出させるための仕事量に影響を与えることがわかっている、手動式のノンエアゾールタイプのディスペンサの構成の一部分には、ディップチューブの寸法、混合チャンバへの空気進入口の寸法、混合チャンバからの進入開口部及び退出開口部を含む混合チャンバの寸法、抽出チャネルの寸法、多孔質要素（スクリーン又はメッシュなど）、及び抽出ヘッド開口部が挙げられる。
【００２１】
手動式のノンエアゾールタイプのディスペンサは収容容器を含む。収容容器は、収容容器内に収容されるパーソナルケア組成物の体積よりも収容容器の容積が大きいものになるような容積を有する。収容容器のうち、パーソナルケア組成物に占有されない領域がヘッドスペースである。ヘッドスペースは、パーソナルケア組成物、あるいはパーソナルケア組成物の気泡を比較的含まない状態のままであるべきである。パーソナルケア組成物を含有させた状態で収容容器を振とう又は反転させた場合、ヘッドスペースは、パーソナルケア組成物、あるいはパーソナルケア組成物の気泡を比較的含まない状態のままであるべきである。本章において使用するとき、「比較的含まない」は、ヘッドスペース容積の５０％未満、７５％未満、９０％未満、７５％〜１００％が、パーソナルケア組成物、あるいはパーソナルケア組成物の気泡を含まないことを意味する。
【００２２】
収容容器は、パーソナルケア組成物を起泡させるための機構（ディップチューブなど）の任意の部分にパーソナルケア組成物を含有させ、かつ尚もヘッドスペースを有するのに十分な容積を有するよう選択される。一実施形態では、収容容器の容積は約１００ｍＬ〜約５００ｍＬ、約１５０ｍＬ〜約４００ｍＬであるよう選択される（例えば２５０ｍＬ）。収容容器の容積対パーソナルケア組成物の体積比は、約０．３０〜約０．７０である（例えば、約０．４０〜約０．５５）。
【００２３】
収容容器の形状は、パーソナルケア組成物を収容容器に含有させた場合に、体積置換当たりに必要とされる力が最適化され得るよう選択することができる。一実施形態では、体積置換当たりに必要とされる力は、ボトルの垂直軸（ボトルの頂部又は底部）から見た場合に、ボトルの形状が楕円断面を有するように選択された場合に最適化される。楕円断面は、ネジ式キャップ又はスナップ式キャップに好適な頸部を使用して収容容器を閉めることができるように、好ましくは同軸である。楕円断面の長軸は、収容容器表面に適用される力と垂直になるよう位置づけされる。
【００２４】
図１は、フォーマーアッセンブリ（１）及び収容容器（３）を含むパーソナルケア組成物製品（２５）の一般的な構造を例示する。
【００２５】
パーソナルケア組成物を含有する収容容器容積（２７）を有する収容容器（３）は、手動式のノンエアゾールタイプのディスペンサ（２５）を抽出動作（例えば「ストローク」）させた際に、パーソナルケア組成物が収容容器（３）から移送されるように混合チャンバ（５）と流体連通している。流体接続部はディップチューブ（７）である。比較的粘度の高いパーソナルケア組成物に関しては、ディップチューブ（７）の直径は、抽出を容易にし（抽出に必要とされる力の量を少なくする）、かつ所望される泡の比体積を得るために、比較的大きくする必要がある。
【００２６】
ディップチューブ（７）の直径は、好ましくは直径が２．０ｍｍ超、好ましくは約２．０ｍｍ〜約５．０ｍｍ、より好ましくは約２．５ｍｍ〜約４．０ｍｍになるよう選択される。直径が約２．０ｍｍ〜約４．０ｍｍのディップチューブ（７）に関し、液体粘度は、液体を収容容器（３）から、抽出時にユーザーにより加えられる力（例えば「ストローク」）の量がより少ない混合チャンバ（５）へと移送しつつ、本明細書で述べるような所望される泡密度を実現する。
【００２７】
混合チャンバ（５）は、少なくとも１つの空気進入開口部（９）、少なくとも１つの液体進入開口部（１１）及び少なくとも１つの混合チャンバ進入開口部（１３）を含む。混合チャンバ（５）は、内部容積と、混合チャンバ（５）の内部容積を画定する外壁を更に含む。混合チャンバ（５）は、パーソナルケア組成物と空気の組み合わせを可能にし、起泡させたパーソナルケア組成物の形成を開始する。様々な開口部（９，１１，１３）領域を変更（記載の開口部の平面図は、混合チャンバ（５）の外壁の一部を含む）することで、泡の比の密度に影響を与えることができ、具体的には液体対空気比が適切なものになるように空気進入開口部（９）及び液体進入開口部（１１）の相関関係に影響を与えることができる。
【００２８】
空気進入開口部（９）は、収容容器（３）のヘッドスペースに入った空気を移送させるのに好適なものである。混合チャンバ（５）には、１つ以上の空気進入開口部（９）を含ませることができる。一実施形態では、混合チャンバ（５）は、進入開口部（９）を１つ含む。空気進入開口部（９）の面積は約０．６２ｍｍ2（約０．２ｍｍ直径の円形の空気進入開口部）〜約３．１４ｍｍ2（約１ｍｍ直径の円形の空気進入開口部）であってよく、好ましくは約１．２６ｍｍ2（約０．４ｍｍ直径の円形の空気進入開口部）〜約１．８８ｍｍ2（約０．８ｍｍ直径の円形の空気進入開口部）である。空気進入開口部（９）が１つ以上選択された場合、空気進入開口部（９）の合計面積のすべてが使用されるべきである。混合チャンバ（５）への空気進入開口部（９）を介する空気の連通は、混合チャンバ（５）に間接的に連通させるものであってよく、あるいは混合チャンバ（５）に直接連通させるものであってもよい。
【００２９】
同様にして、液体進入開口部（１１）は、収容容器（３）から、好ましくはディップチューブ（７）を介し混合チャンバ（５）へとパーソナルケア組成物を流動的に移送するのに好適である。一実施形態では、混合チャンバ（５）は液体進入開口部（１１）を１つ以上含む。一実施形態では、混合チャンバ（５）は、液体進入開口部（１１）を３つ含む。液体進入開口部（１１）の面積は、約１．５ｍｍ2〜約３ｍｍ2でなくてはならない。一実施形態では、液体進入開口部（１１）は、約１．８ｍｍ2〜約２．３ｍｍ2でなくてはならない。液体進入開口部（９）が１つ以上選択された場合、空気進入開口部（９）の合計面積のすべてが使用されるべきである。例えば、３つの液体進入開口部（１１）の合計面積が２．０ｍｍ2である場合、液体進入開口部（１１）の３つすべてを合わせた合計面積と等しい。収容容器（３）から混合チャンバ（５）への流体連通路は、混合チャンバ（５）に間接的な連通経路であり得、あるいは混合チャンバ（５）に直接的な連通経路であり得る。
【００３０】
本明細書で使用するとき、用語、「間接的な連通」は、混合チャンバ（５）への空気又はパーソナルケア組成物の輸送が、何らかの他の物理構造を介する経路を通過してから混合チャンバ（５）に入ることを意味する。例えば、空気又はパーソナルケア組成物は、各開口部（９，１１）を通って混合チャンバ（５）に入る前に、混合チャンバ（５）の外壁と接触することになる。一実施形態では、空隙容積部（３０）が、混合チャンバ（５）の外壁と隣接している。空気又はパーソナルケア組成物は、収容容器から、ディップチューブ（７）を介し、混合チャンバ（５）の外部の空隙容積部（３０）へと移送される。空隙容積部（３０）は、それぞれ、空気進入開口部（９）及び／又は液体進入開口部（１１）と空気及び／又は液体連通する。
【００３１】
本明細書で使用するとき、用語、「直接連通する」は、混合チャンバ（５）への空気又はパーソナルケア組成物の輸送が、直接的に混合チャンバ（５）へと移動するものであることを意味する。例えば、空気又はパーソナルケア組成物は、開口部（９，１１）のそれぞれを介し、混合チャンバ（５）の外部の構成要素と接触することなく混合チャンバ（５）の内部容積で接触するようになる。
【００３２】
一実施形態では、混合チャンバ退出開口部（１３）は、混合チャンバ（５）内部の圧力が上昇するように選択される。混合チャンバ（５）は、１つ以上の混合チャンバ開口部（１３）を含み得る。一実施形態では、混合チャンバ（５）は混合チャンバ退出開口部（１３）を１つ含む。
【００３３】
混合チャンバ（５）は、混合チャンバ（５）の内部容積を生成する外側壁を有する。外側壁の頂端部が、周長を確定する。混合チャンバ退出開口部（１３）は、混合チャンバ（５）の頂端部の周長と同じ大きさの面積にすることもできるが、好ましくは、混合チャンバ（５）内の圧力を増加させるために、混合チャンバ（５）の頂端部の周長の面積よりも小さくなるような面積が選択される。混合チャンバ退出開口部（１３）の面積は、約０．３１４ｍｍ2（０．１ｍｍ直径の円形開口部）〜約９．４２ｍｍ2（３ｍｍ直径の円形開口部）であり得る。一実施形態では、混合チャンバ退出開口部（１３）は、約２．５１２ｍｍ2（０．８ｍｍ直径の円形開口部）〜約５．６５２ｍｍ2（１．８ｍｍ直径の円形開口部）の面積を含む。混合チャンバ退出開口部（１３）が１つ以上存在する場合、すべての混合チャンバ退出開口部の合計面積を考慮しなくてはならない。
【００３４】
一実施形態では、ディフューザプレート（２９）が、混合チャンバ退出開口部（１３）を含む。散布プレート（２９）は、混合チャンバ（５）構造の一部であってよく、あるいは混合チャンバ（５）と適合する別個の要素であってもよい。
【００３５】
混合チャンバ（５）は、フォーマーアッセンブリ（１）と流体連通される。パーソナルケア組成物は、液体進入開口部（１１）を介し混合チャンバ（５）へと入り、空気進入開口部（９）を介し混合チャンバ（５）に入る空気と混合される。ディフューザプレート（２９）は、混合チャンバ（５）内で、パーソナルケア組成物の滞留時間を増加させるよう働くと考えられている。混合チャンバ（５）内でのパーソナルケア組成物の滞留時間が増加するにつれ、パーソナルケア組成物はよりせん断され、気泡を生じるようになる。
【００３６】
空気は、通常、手動式のノンエアゾールタイプのディスペンサ（２５）の外部環境から供給される。空気は、ストローク後に手動式のノンエアゾールタイプのディスペンサ（２５）に入り、収容容器（３）のヘッドスペース内に収容される。手動式のノンエアゾールタイプのディスペンサ（２５）の収容容器（３）のヘッドスペースへの、空気の制御された取り込み又は排出は、ボールバルブ（２３）あるいはシリコーンシール又はガスケットにより実現することができる。ボールバルブあるいはシリコーンシール又はガスケットは、ヘッドスペースと連通させてフォーマーアッセンブリ（１）に位置させることができる。一実施形態では、手動式のノンエアゾールタイプのディスペンサ（２５）に抽出動作させた場合に、ヘッドスペース内の空気が、空気進入開口部（９）を介し混合チャンバへと移送されるように、ボールバルブ（２３）、シリコーンシール又はガスケットが、収容容器（３）のヘッドスペースへの、手動式のノンエアゾールタイプのディスペンサ（２５）の外気の進入を排除するよう、ボールバルブ（２３）、シリコーンシール又はガスケットを、リザーバ（３）と、手動式のノンエアゾールタイプのディスペンサ（２５）の外気とを連通させるよう位置させることができる。抽出（「ストローク」）後、ボールバルブ（２３）、シリコーンシール又はガスケットは、手動式のノンエアゾールタイプのディスペンサ（２５）の外気を、収容容器（３）内に進入させ、次のストロークのためにヘッドスペースを再充填する。
【００３７】
パーソナルケア組成物及び空気は混合チャンバ（５）に入り、泡状のパーソナルケア組成物を形成し、泡状のパーソナルケア組成物は混合チャンバ退出開口部（１３）を介して混合チャンバ（５）から出て、泡流体接続部（１７）を通ってフォーマーアッセンブリ（１）へと移動し、フォーマー抽出開口部（１９）を出る。混合チャンバ退出開口部（１３）及びフォーマー抽出開口部（１９）の間にある泡流体接続部（１７）は、泡の比体積を変更するために使用することのできるスクリーン又はメッシュ（２１ａ，２１ｂ，２１ｃ）を、内部に１つ以上備える。泡の比体積を変更するためには、メッシュの数、メッシュの開口部の大きさ及びメッシュ内の開口部の密度を利用することができる。一実施形態では、少なくとも２つのメッシュ（２１ａ，２１ｂ）が利用される。この場合、２つのメッシュ（２１ａ，２１ｂ）は互いに隣接している。メッシュには直径区分及び深さ区分を含む。直径区分（メッシュの最も長い表面積）は、メッシュのうちの他のメッシュと隣接し得る部分である。
【００３８】
泡のしぼり出し及び抽出を最適にする角度に収容容器（３）を傾けたときに、収容容器（３）内のパーソナルケア組成物の利用効率が最大化されるよう収容容器（３）の最下の前方コーナーに向けてディップチューブ（７）の少なくとも下端を曲げることができる。ディップチューブ（７）の最下端の傾斜角は、好ましくはフォーマー抽出開口部（１９）の傾斜角を模し、いずれもが好ましくは抽出ヘッド開口部（１９）に最も近いメッシュを通る水平軸から約３０°〜約４５°の角度で下に移動させた角度である。
【００３９】
一実施形態では、混合チャンバ退出部及び抽出ヘッド開口部の間の流体接続部に１〜３つのメッシュが存在する。一実施形態では、２つのメッシュ（２１ａ，２１ｂ）が混合チャンバ退出開口部（１３）に極近接して泡流体接続部（１７）に位置し、１つのメッシュ（２１ｃ）がフォーマー抽出開口部（１９）に極近接して位置する。この場合、２つのメッシュ（２１ａ，２１ｂ）は約１７０マイクロメートル（μ）の開口寸法を有し、１つのメッシュ（２１ｃ）は約７０マイクロメートル（μ）の開口寸法を有する。
【００４０】
一実施形態では、２つのメッシュ（２１ａ，２１ｂ）が混合チャンバ退出開口部（１３）に極近接して泡流体接続部（１７）に位置し、１つのメッシュ（２１ｃ）がフォーマー抽出開口部（１９）に極近接して位置する。この場合、２つのメッシュ（２１ａ，２１ｂ）は約１７０マイクロメートル（μ）の開口寸法を有し、１つのメッシュ（２１ｃ）は約７０マイクロメートル（μ）の開口寸法を有する。各メッシュは、好ましくは射出成形ウェハとして提供され、あるいは円筒形の側壁と、円筒形の側壁の一端を覆って延びるスクリーンとを有するディスクとして提供される。スクリーンは、円筒形の側壁の全長の軸方向に延びる（円筒形の側壁の上縁から、円筒形の側壁の下縁へとｙ軸に沿って延びる）ものではない。本項で使用するとき、「隣接する」は、各ウェハ又はディスクの２つの円筒形の側壁が、直接互いに隣り合っていることを意味する。しかしながら、各ウェハのそれぞれは、好ましくは、２つのウェハ又はディスクが互いに接触する場合でさえも、第１ディスクのスクリーンを第２ディスクのスクリーンから分離する空隙が存在するようにスクリーンが面している方向に配向される。
【００４１】
次に図３を参照すると、メッシュが２つのみ（２１ａ，２１ｃ）利用され、このうち１つ（２１ａ）が混合チャンバ退出開口部（１３）に極近接し、もう１つ（２１ｃ）がフォーマー抽出開口部（１９）に極近接して配置する、特に好ましい実施形態が例示される。
【００４２】
混合チャンバ退出開口部（１３）の大きさ、メッシュ（２１ａ，２１ｂ，２１ｃ）の枚数、及びメッシュのスクリーンの開口寸法を変化させることで、所望される泡の比体積を実質的に保存しながら所望される量の泡を吐出させるのに必要とされる仕事量を減らすことができる。例えば、図１に例示される実施例の例示的な実施では、直径１ｍｍの混合チャンバ退出開口部（１３）が散布プレート（２９）に提供される［開口部の面積はｐｉ*直径である］。この実施形態では、３つのメッシュウェハ又はディスクが泡流体接続部（１７）に提供され、最初の２つ（２１ａ，２１ｂ）のそれぞれのメッシュ開口部サイズは約１７０マイクロメートル（μ）であり、３つ目のメッシュのメッシュ開口部サイズは約７０マイクロメートル（μ）である。
【００４３】
図３に解説する実施形態の例示的な実装において、第２メッシュ（２１ｂ）は省略され、ディフューザプレート（２９）［開口部面積はｐｉ*直径］内の混合チャンバ退出開口部は１．７５ｍｍに拡大され、泡流体接続部（１７）に配置された第１メッシュ（２１ａ）のメッシュ開口寸法は約１７０マイクロメートル（μ）であり、かつメッシュウェハ又はディスク（２１ｃ）のメッシュ開口寸法は約７０マイクロメートル（μ）である。
【００４４】
パーソナルケア組成物
手動式のノンエアゾールタイプのディスペンサをパーソナルケア組成物と組み合わせて使用する。想定されるパーソナルケア組成物としては、染毛剤、ボディーソープ組成物、シャンプー、コンディショナー、ローション、洗顔料、化粧料（例えば、ファンデーション、チーク、アイシャドウ、美白剤、皮膚着色剤（セルフ・タナーとしても知られる））、香水、剃毛用組成物（シェービングクリームとしても知られる）、及び同様の組成物が挙げられる。
【００４５】
パーソナルケア組成物の選択により、所望される泡特性は変化する。パーソナルケア組成物のレオロジー特性は、手動式のノンエアゾールタイプのディスペンサを通過させた後のパーソナルケア組成物の泡特性に影響を与える。選択された粘性は、本明細書に記載の手動式のノンエアゾールタイプのディスペンサと組み合わせて使用したときに、所望の泡特性を与えるものであることが判明している。
【００４６】
所望される粘度特性は、パーソナルケア組成物と接触させた場合に、所望される消費者経験を保証するものである。本明細書に記載されるような所望の混合粘度は、パーソナルケア組成物の気泡が収容容器のヘッドスペース中に存在している場合に、多過ぎる液体を泡に導入してしまうなどして、所望の液体対空気比を変化させてしまうことを防止することから、所望される泡の比体積が得られる。パーソナルケア組成物が、収容容器から消費者の手に容易に抽出されるよう、パーソナルケア組成物は、ずり減粘性が所望される。一実施形態では、起泡させたパーソナルケア組成物を崩壊させた後のパーソナルケア組成物の低せん断粘度は、組成物が、毛髪などの適用された表面から流れたり、又は滴り落ちることのないよう選択される。
【００４７】
本明細書で使用するとき、パーソナルケア組成物の「低せん断粘度」は、以下に定義される方法により測定される。
【００４８】
パーソナルケア組成物の低せん断粘度は、少なくとも３００ｃｐｓ（０．３パスカル秒）（以下に説明される方法で測定した場合）であり、好ましくは３００ｃｐｓ（０．３パスカル秒）超、好ましくは約４００ｃｐｓ（０．４パスカル秒）〜１５００ｃｐｓ（１．５パスカル秒）、好ましくは約４５０ｃｐｓ（０．４５パスカル秒）〜１０００ｃｐｓ（１．０パスカル秒）である。パーソナルケア組成物は、低せん断粘度に影響を与え得る、塩含有物などの成分から構成され得る。好適な増粘剤は、低せん断粘度を所望の範囲内に調節するよう選択されるべきである。
【００４９】
本明細書で使用するとき、「混合粘度」は、染毛剤組成物の酸化色調剤及び酸化剤などの２つ以上の成分を、消費者により組成物の使用直前に一緒に混合したときの、パーソナルケア組成物の粘度を意味する。混合粘度は、混合する前の酸化色調剤及び酸化剤（顕色剤組成物）の個々の成分の低せん断粘度よりも、酸化色調剤及び酸化剤（顕色剤組成物）の混合物から得られたものが低いせん断粘度になる。パーソナルケア組成物は、混合粘度に影響を与え得る、例えば染料、アルカリ成分含有物又は塩含有物などの成分を含み得る。好適な増粘剤は、混合粘度を所望の範囲内に調節するよう選択されるべきである。
【００５０】
低せん断粘度の組成物の影響の例として、高い合計染料内容物及び暗い色度（黒髪色など）を表すアルカリ含量を含む染毛剤配合物であるパーソナルケア組成物は、約５００ｃｐｓ（０．５パスカル秒）〜約１５００ｃｐｓ（１．０パスカル秒）の混合粘度を有し得る。その一方、赤い色度（赤色の毛髪又は赤褐色の毛髪）に関する染料を含む染毛剤配合物であるパーソナルケア組成物の場合、混合粘度は約４００ｃｐｓ（０．４パスカル秒）〜約８００ｃｐｓ（０．８パスカル秒）であり得る。更に一方、合計含有染料が低く、かつ明るい色度（ブロンドなど）を表わすアルカリ含量が高い染毛剤配合物のパーソナルケア組成物である場合、混合粘度は約４００ｃｐｓ（０．４パスカル秒）〜約７００ｃｐｓ（０．７パスカル秒）であり得、例えば４５０ｃｐｓ（０．４５パスカル秒）〜約７００ｃｐｓ（０．７パスカル秒）であり得る。
【００５１】
パーソナルケア組成物は、本明細書に記載の低せん断粘度を有することが望ましい。パーソナルケア組成物は、所望される最終用途に好適な、溶媒などの他の成分を含んでもよい。
【００５２】
酸化組成物及び直接染料組成物を含む染毛剤に関して言えば、好適な成分としては、起泡剤、酸化剤、アンモニウムイオン供給源、酸化染料前駆体、ラジカルスカベンジャー、香料、及びその他の同様の成分が挙げられる。
【００５３】
例えば、ボディーソープ組成物、シャンプー組成物、洗顔料、剃毛用組成物（シェービング・クリームとしても知られる）は、（界面活性剤、付着助剤、及びコンディショニング剤でもよい）起泡剤、香料、及び他の同様の成分を有する。
【００５４】
例えば、コンディショナー、ローション、化粧料（例えば、ファンデーション、チーク、アイシャドウ、美白剤、皮膚着色剤（セルフ・ターナーとしても知られる））、香料組成物は、起泡剤、カチオン性界面活性剤、コンディショニング剤、付着助剤、着色粒子、酸化剤、香料、及び他の同様の成分を含む。
【００５５】
溶媒
必要に応じて、水、低級脂肪族アルコール類（例えば、炭素原子を１〜４個有する脂肪族アルコールである、エタノール、プロパノール及びイソプロパノールなど）、又はグリセリン及び１，２−プロピレングリコールなどのグリコールといった、溶媒を、パーソナルケア組成物に、パーソナルケア組成物の０．１〜９５重量％の濃度で使用することができる。
【００５６】
増粘剤
所望される混合粘度（本明細書に定義されるようなもの）及び低せん断粘度（本明細書に定義されるようなもの）を得るために、パーソナルケア組成物に使用するのが好適なものとしては、次式により表わされる脂肪酸の塩が挙げられる：
【００５７】
【化１】
0005624156.tif 000002
式中、Ｒ1は、式ＣnＨ2n〜1、ＣnＨ2n〜1又はＣnＨ2n〜3の炭化水素ラジカルであり、かつｎは１２〜２４の整数である。Ｍは水素、ナトリウム、カリウム及びアンモニウムである。例としては、ステアリン酸アンモニウム、ステアリン酸カリウム、オレイン酸アンモニウム及びリシノール酸アンモニウムが挙げられる。アンモニウム塩は、脂肪酸及びアンモニア、例えばオレイン酸及びアンモニアからその場形成で得ることができる。
【００５８】
脂肪酸の塩は、色調剤組成物の約０．０５重量％〜約１０重量％、例えば約０．１重量％〜約８重量％、約１重量％〜約５重量％で色調剤組成物中に存在し得る。
【００５９】
多糖類、並びに多糖類及び合成モノマーのコポリマーも同様に増粘剤として有用である。このような、本明細書で有用な糖類としては：グルコース、ガラクトース、マンノース、アラビノース、キシロース、フコース、フルクトース、グルコサミン、ガラクトサミン、グルクロン酸、ガラクツロン酸、及び五又は六員環多価アルコールが挙げられる。同様に、上記糖類のヒドロキシメチル、ヒドロキシエチル及びヒドロキシプロピル誘導体が挙げられる。キサンタンガム、例えば、ＣＰ  Ｋｅｌｃｏ’ｓ  ＫＥＬＴＲＯＬ（登録商標）Ｔ、（分子量約２，０００，０００）も同様に好適なポリマーである。同様に好適なものとしては、ジェランガム（例えばＣＰ  Ｋｅｌｏｃ’ｓ  ＫＥＬＣＯＧＥＬ（登録商標）ＡＦＴ）、ペクチン、アルギン酸塩、アラビノガラクタン（arabinogalctan）、カラギーナン（carageenan）、ラムサンガム、及びファーセレランガムが挙げられる。本明細書で増粘剤としての使用が好適なものとしては、ヒドロキシエチル及びカルボキシメチルセルロースなどのセルロース誘導体、並びにヒドロキシプロピルトリメチルアンモニウムグアーガムなどのグアーガムが挙げられる。具体例としては：非イオン性のヒドロキシエチルセルロースポリマー（例えば、Ａｑｕａｌｏｎ／Ｈｅｒｃｕｌｅｓ社のＮＡＴＲＯＳＯＬ（登録商標）２５０ＭＸＲ及びＮＡＴＲＯＳＯＬ（登録商標）２５０ＨＲ）；並びにカチオン性ヒドロキシエチルセルロースポリマー（例えば、Ｕｎｉｏｎ  Ｃａｒｂｉｄｅ社のＪＲ−４００及びＬＭ−２００）が挙げられる。
【００６０】
増粘剤としての使用に好適な一部の更なるポリマーとしては、ポリビニルピロリドン、並びに酢酸ビニル、ジメチルアミノエチルメタクリレート、及び同様物と硫酸メチルとの第四級化合物を含有するものなどの、ビニルピロリドンなどのコポリマー、並びにビニルアルコール及び酢酸ビニルのポリマー及びコポリマーが挙げられる。本明細書で使用するのに好適な一部のアクリルポリマーとしては、ポリアクリル酸（例えば、Ｎｏｖｅｏｎ’ｓ  ＣＡＲＢＯＰＯＬ（登録商標）ポリマー）、ポリアクリルアミド、アクリル酸及びメタクリル酸のエステルのコポリマー、並びにメチルビニルエーテル及び無水マレイン酸のコポリマーが挙げられる。
【００６１】
更に好適な増粘剤を、「Ｈａｎｄｂｏｏｋ  ｏｆ  Ｗａｔｅｒ−Ｓｏｌｕｂｌｅ  Ｇｕｍｓ  ａｎｄ  Ｒｅｓｉｎｓ」（Ｒｏｂｅｒｔ  Ｌ．Ｄａｖｉｄｓｏｎ，ＭｃＧｒａｗ−Ｈｉｌｌ  Ｂｏｏｋ  Ｃｏ．，Ｎｅｗ  Ｙｏｒｋ，Ｎ．Ｙ．，１９８０）の用語集及び第３章（アルキル及びヒドロキシアルキルアルキルセルロース）、第４章（カルボキシメチルセルロース）、第１２章（ヒドロキシエチルセルロース）及び第１３章（ヒドロキシプロピルセルロース）に列挙する。
【００６２】
パーソナルケア組成物に有用であることが見出される高分子増粘剤の量は、パーソナルケア組成物の、約０．１重量％〜約２０重量％、好ましくは約０．１重量％〜約１０重量％である。
【００６３】
起泡剤
起泡剤は、起泡特性を有するものである限り、非イオン性、アニオン性、カチオン性及び両性界面活性剤などの界面活性剤を包含する任意のものであり得る。好ましい起泡剤としては、両性界面活性剤が挙げられる。
【００６４】
染毛剤組成物に有用なアニオン性界面活性剤としては、アルキルエーテルカルボキシレート、アルキルエーテルサルフェート、アルキルグリセリルスルホネート、アルキルアミドエーテルサルフェート、アルキルアリールポリエーテルサルフェート、アルキルモノグリセリドサルフェート、アルキルエーテルスルホネート、アルキルアミドスルホネート；アルキルスクシナート、アルキルスルホスクシナート、アルキルエーテルスルホスクシナート、アルキルアミドスルホスクシナート；アルキルスルホスクシナート；アルキルスルホアセテート；アルキルエーテルホスフェート；アシルサルコシネート、Ｎ−アシルメチルアミノプロピオネート；アシルイセチオネート、Ｎ−アシルタウレート；アシルアクチレート；アルキルポリグリコシドのカルボキシアルキルエーテル；アルキルレシチン誘導体が挙げられる。一実施形態では、アニオン性界面活性剤は、１〜２０個、好ましくは２〜１０個のエチレンオキシド単位を有するＣ８〜Ｃ３０アルキルエーテルホスフェートであり、非イオン性界面活性剤は、エチレンオキシド単位を少なくとも２５個、好ましくは１００〜２００個有するポリオキシエチレンアルキルエーテルから選択される。
【００６５】
染毛剤組成物に有用な更なる非イオン性界面活性剤は、ポリエチレンオキシド鎖を１つ以上含むものであり、このような界面活性剤としては、以下の化合物が挙げられる：ポリオキシエチレンアルキルエーテル、ポリエチレングリコール脂肪酸エステル、ポリオキシエチレン硬化ヒマシ油、ポリオキシエチレン水添ヒマシ油、ポリオキシエチレン脂肪アミド（polyoxyethylene fatty amides）、並びにこれらのモノエタノールアミン及びジエタノールアミン誘導体、ポリエトキシル化脂肪族アミン。一実施形態では、少なくとも約２５個、好ましくは約５０〜２００個、最も好ましくは約１００〜２００個のエチレンオキシド単位を有するポリオキシエチレンアルキルエーテル又はポリエチレングリコール脂肪酸エステル、例えば、セテアレス−２５、ステアレス−１００、ステアレス−１５０及びステアレス−２００が挙げられる。
【００６６】
ボディーソープ組成物、シャンプー組成物及び洗顔用組成物に有用な界面活性剤としては、次式：ＲＯ（Ｃ2Ｈ4Ｏ）xＳＯ3Ｍ、式中、Ｒは炭素原子数約８〜２４のアルキル又はアルケニルであり、ｘは０〜１０であり、（アルキルサルフェートに関しては）例えば０又は０．１〜３であり；Ｍはカチオン、例えば、アンモニウム、アルカノールアミン（例、トリエタノールアミン）、一価金属（例、ナトリウム及びカリウム）、及び多価金属カチオン（例、マグネシウム及びカルシウムである）を有するアルキルサルフェート及びアルキルエーテルサルフェートが挙げられる。好ましくは、アルキル及びアルキルエーテルサルフェートの両方で、Ｒは約８〜１８個の炭素原子を有し、より好ましくは約１０〜１６個、最も好ましくは約１２〜１４個の炭素原子を有する。典型的には、アルキルエーテルサルフェートは、エチレンオキシドと、約８〜２４個の炭素原子を有する一価アルコールとの縮合生成物として製造される。アルコールは、例えばココナッツ油、パーム核若しくはタローなどの脂肪から抽出することができ、又は合成することもできる。ココナッツ油又はパーム核から抽出されたラウリルアルコール及び直鎖アルコールが本明細書では好ましい。このようなアルコールは、約１〜約１０、及び特に約１〜３のモル比でエチレンオキシドと反応させ、例えば、アルコール１モル当たり平均３モルのエチレンオキシドで反応させ得られた分子種の混合物を硫酸で処理し、中和する。
【００６７】
非常に好ましいアルキルエーテルサルフェートは、個々の成分の混合物を含むものであり、この混合物は炭素原子数約１０〜約１６個の平均アルキル鎖長を有し、約１〜４モルのエチレンオキシドの平均エトキシル化度を有する。
【００６８】
シャンプー組成物に使用するのに好ましい界面活性剤としては、ラウリル硫酸アンモニウム、ラウレス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ジエタノールアミンラウリルサルフェート、ジエタノールアミンラウレスサルフェート、ラウリルモノグリセリド硫酸ナトリウム、ラウリル硫酸ナトリウム、ラウレス硫酸ナトリウム、ラウリル硫酸カリウム、ラウレス硫酸カリウム、ラウリルサルコシン酸ナトリウム、ラウロイルサルコシン酸ナトリウム、ラウリルサルコシン、ココイルサルコシン、ココイル硫酸アンモニウム、ラウロイル硫酸アンモニウム、ココイル硫酸ナトリウム、ラウロイル硫酸ナトリウム、ココイル硫酸カリウム、ラウリル硫酸カリウム、ラウリル硫酸トリエタノールアミン、ラウリル硫酸トリエタノールアミン、ココイル硫酸モノエタノールアミン、ラウリル硫酸モノエタノールアミン、トリデシルベンゼンスルホン酸ナトリウム、ドデシルベンゼンスルホン酸ナトリウム、ココイルイセチオン酸ナトリウム、及びこれらの組み合わせが挙げられる。
【００６９】
ボディーソープ組成物及び洗顔料組成物に好適な界面活性剤としては、更に両性界面活性剤が挙げられる。本発明の組成物に使用することのできる両性洗浄界面活性剤の例としては、脂肪族第二級及び第三級アミンの誘導体として広範に記載されるものが挙げられ、脂肪族ラジカルは直鎖又は分岐鎖であってよく、脂肪族置換基のうち１つは炭素原子を約８〜１８個含有し、１つはアニオン水溶性基、例えば、カルボキシ基、スルホン酸基、硫酸基、リン酸基、又はホスホン酸基を含有する。この定義に当てはまる化合物の例としては、３−ドデシルアミノプロピオン酸ナトリウム、３−ドデシルアミノプロパンスルホン酸ナトリウム、ラウリルサルコシン酸ナトリウムが挙げられる。
【００７０】
本明細書で有用なベタインの例としては、高級アルキルベタイン（high alkyl betaines）、例えば、ココジメチルカルボキシメチルベタイン、ココアミドプロピルベタイン、ココベタイン、ラウリルアミドプロピルベタイン、オレイルベタイン、ラウリルジメチルカルボキシメチルベタイン、ラウリルジメチルαカルボキシメチルベタイン、セチルジメチルカルボキシメチルベタイン、ラウリルビス−（２−ヒドロキシエチル）カルボキシメチルベタイン、ステアリルビス−（２−ヒドロキシプロピル）カルボキシメチルベタイン、オレイルジメチルγ−カルボキシプロピルベタイン、及びラウリルビス−（２−ヒドロキシプロピル）α−カルボキシエチルベタインが挙げられる。硫酸ベタインは、ココジメチルスルホプロピルベタイン、ステアリルジメチルスルホプロピルベタイン、ラウリルジメチルスルホエチルベタイン、ラウリルビス−（２−ヒドロキシエチル）スルホプロピルベタイン及び同様物；アミドベタイン及びアミド硫酸ベタイン、によって表されてもよく、ここで、ベタインの窒素原子にＲＣＯＮＨ（ＣＨ2）3ラジカルが結合しているものも同様に本発明に有用である。本明細書に用いるのに最も好ましいのはココアミドプロピルベタインである。
【００７１】
有用な非イオン性界面活性剤としては、アルキルグルコシド、アルキルポリグルコシド、ポリヒドロキシ脂肪酸アミド、アルコキシル化脂肪酸エステル、発泡スクロース（lathering sucrose）エステル、アミンオキシド、及びこれらの混合物からなる群から選択されるものが挙げられる。アルキルグルコシド及びアルキルポリグルコシドが本明細書で有用であり、かつ広範には長鎖アルコール、例えばＣ３〜Ｃ３０アルコールと、１種又は複数種の糖類又はでんぷん類（すなわちグリコシド又はポリグリコシド）との凝縮物として定義することができる。これらの化合物は、次式（Ｓ）ｎＯＲ（式中、Ｓはグルコース、フルクトース、マンノース、及びガラクトースなどの糖成分であり；ｎは約１〜約１０００の整数であり、かつＲはＣ８〜Ｃ３０アルキル基である）により表わすことができる。内部からアルキル基を誘導することのできる長鎖アルコールの例としては、デシルアルコール、セチルアルコール、ステアリルアルコール、ラウリルアルコール、ミリスチルアルコール、オレイルアルコール及びこれに類するものなどが挙げられる。
【００７２】
染毛剤組成物に有用な界面活性剤は、米国特許出願公開第２００４／０２１３７５２号明細書の段落［００２４］〜［００２７］に記載されている。染毛剤組成物に有用であることが見出される界面活性剤の量は、約０．１重量％〜２０重量％、好ましくは約０．１重量％〜１０重量％の毛髪着色剤組成物である。
【００７３】
ボディーソープ組成物、シャンプー組成物又は洗顔料組成物中の界面活性剤濃度は、約０．５重量％〜３５重量％、好ましくは約１重量％〜２５重量％、より好ましくは約２重量％〜２５重量％の組成物であり得る。
【００７４】
好適な起泡剤としては、高分子泡安定剤及び高分子乳化剤が挙げられる。高分子泡安定剤及び高分子乳化剤は界面活性剤と併用してもよく、又は界面活性剤と併用しなくてもよい。高分子乳化剤及び高分子泡安定剤の組み合わせも本発明で具体化される。
【００７５】
高分子泡安定剤
本明細書で使用するのに好適な高分子泡安定剤としては、メチルセルロース（ＭＥＴＨＯＣＥＬ  ４０−１０１として販売されるヒドロキシプロピルメチルセルロース、及びＭＥＴＨＯＣＥＬ  Ａ４ＭＰとして販売されるメチルセルロース）及びエチルセルロース（ＮＡＴＲＯＳＯＬ  ＰＬＵＳとして販売されるセセチル（cecetyl）ヒドロキシエチルセルロース）などのセルロース材料が挙げられる。
【００７６】
ヒドロキシプロピルメチルセルロースは、次式を有するものである：
【００７７】
【化２】
0005624156.tif 000003
【００７８】
メチルセルロースは、次式を有するものである：
【００７９】
【化３】
0005624156.tif 000004
【００８０】
これらの構造に関し、「ｎ」は、所望の粘度が得られるよう選択される。ＭＥＴＨＯＣＥＬ  ４０−１０１は約７５，０００ＭＰａｓ（Ｕｂｂｅｌｏｈｄｅチューブ粘度計を使用し、２０℃にて２％の水溶液に関する）の粘度を有し、及びＭＥＴＨＯＣＥＬ  Ａ４ＭＰは約４０００〜５０００ＭＰａｓ（Ｕｂｂｅｌｏｈｄｅチューブ粘度計を使用して２０℃にて２％の水溶液に関する）の粘度を有する。
【００８１】
他の好適な泡安定剤としては、アクリル酸／Ｃ10〜30アルキルアクリレートクロスポリマーなどの（メタ）アクリルポリマー、Ｃ10〜30アルキルアクリレートと１つ以上のアクリル酸モノマーとのコポリマー、スクロースのアリールエーテル若しくはペンタエリスリトールのアリールエーテルにより架橋されたメタクリル酸又は１つの単純なエステル、が挙げられる。ＧｏｏｄｒｉｃｈからＰＥＭＵＬＥＮ  ＴＲ−１及びＰＥＭＵＬＥＮ  ＴＲ−２として市販される。ＰＥＭＵＬＥＮ  ＴＲ−１ポリマーが好ましい。ＣＡＰＩＧＥＬ  ９８はＳＥＰＰＩＣより製造されるアクリレートコポリマーである。
【００８２】
本明細書で使用するに当たり好適な他の泡安定剤は、酸／アクリル酸コポリマー主鎖、及び側鎖として疎水性基を結合するモノマーから、乳化重合プロセスにより合成された、疎水性改質されたアルカリ可溶性エマルションポリマーである。このような材料の一例は、Ｒｏｈｍ  Ｈａａｓから市販される、ＩＮＣＩ名がアクリレート／ステアレス−２０メタクリレートコポリマーであるＡＣＵＬＹＮ（商標）２２である。
【００８３】
他の好適な泡安定剤としては、乳化重合により酸及びアクリル酸コモノマーから合成された、アルカリ可溶性アニオン性ポリマーのエマルションが挙げられる。このような材料の一例は、Ｒｏｈｍ  Ｈａａｓから市販される、ＩＮＣＩ名がアクリレートコポリマーであるＡＣＵＬＹＮ（商標）３３である。
【００８４】
ＡＣＵＬＹＮ（商標）２２及びＡＣＵＬＹＮ（商標）３３の混合物を使用することもできる。一実施形態は、パーソナルケア組成物の重量、あるいは染毛剤組成物の顕色剤組成物の重量に基づき、１：２〜１：５比（重量）でＡＣＵＬＹＮ（商標）２２及びＡＣＵＬＹＮ（商標）３３の混合物が用いられる。一実施形態では、染毛剤組成物の、顕色剤組成物の重量に基づき１：３〜１：４比（重量）でＡＣＵＬＹＮ（商標）２２及びＡＣＵＬＹＮ（商標）３３の混合物が用いられる。
【００８５】
ビニルピロリドン（ＶＰ）を含むポリマーであるポリクオタニウム５５、ジメチルアミノプロピルメタクリルアミド（ＤＭＡＰＡ）及びメタクリロイル（methacryoyl）アミノプロピルラウリルジモニウム塩化物（ＭＡＰＬＡＣ）も本明細書で使用するに当たり好適であり、かつ以下の構造を有する：
【００８６】
【化４】
0005624156.tif 000005
【００８７】
ポリクオタニウム−５５は、商品名ＳＴＹＬＥＺＥ（登録商標）で市販され、１０〜２０の種類がある。ｎ、ｍ及びｐの程度は、モノマー比に応じて決定される。ＳＴＹＬＥＺＥ（登録商標）−１０は、モノマー比０．８５ＶＰ：０．１１ＤＭＡＰＡ：０．４ＭＡＰＬＡＣを有する。ＳＴＹＬＥＺＥ（登録商標）−２０は、モノマー比０．８５ＶＰ：０．１１ＤＭＡＰＡ：０．４ＭＡＰＬＡＣを有する。
【００８８】
他の好適な泡安定剤としては、ポリオキシエチレン、概して、ｘ、ｙ及びｚの平均値がそれぞれ３１、５４及び３１である、下式と一致するポリオキシプロピレンブロックポリマーが挙げられる。
【００８９】
【化５】
0005624156.tif 000006
【００９０】
商品名ＰＯＬＯＸＡＭＥＲ  ３３４で販売される。
【００９１】
他の好適な泡安定剤としては、商品名ＰＬＵＲＯＮＩＣ  Ｐ１０４及びＰＬＵＲＯＮＩＣ  Ｆ１０８（例えばＢＡＳＦ）で販売されている、一級ヒドロキシル基で終端しているポリエチレンオキシド−ポリプロピレンオキシド−ポリエチレンオキシドブロックポリマーが挙げられる。
【００９２】
高分子乳化剤
好適な高分子乳化剤としては、多糖類、セルロース系材料、アミン担持ポリマー、天然資源から得られる酸ポリマー、加工デンプン、カルボキシビニルポリマー、ポリビニルピロリドン、ポリビニルアルコール、ポリアクリル酸ポリマー、ポリメタクリル酸ポリマー、ポリシロキサン、及びこれらの混合物が挙げられる。
【００９３】
好適な多糖類としては、キサンタンガム、カラゲニンガム、グアーグアー（guar-guar）、カチオン性グアー、ヒドロキシプロピルグアーガム、寒天、イナゴマメガム、アルギネート、チロース、これらの材料のうちの任意の塩（ナトリム塩など）、及びこれらの混合物が挙げられる。
【００９４】
好適なセルロース材料としては、セルロースエーテル（例えばカルボキシメチルセルロース、エチルセルロース、ヒドロキシプロピルセルロース、メチルセルロースなど）、セルロース混合型エーテル（例えばカルボキシメチルヒドロキシエチルセルロース、エチルヒドロキシエチルセルロース、メトキシヒドロキシアルキルセルロースなど）、メチルヒドロキシアルキルセルロース（例えば、メチルヒドロキシエチルセルロース、メチルヒドロキシプロピルセルロース、メチルヒドロキシブチルセルロースなど）；及びこれらの混合物が挙げられる。
【００９５】
好適なアミン担持ポリマーとしては、通常、アルキル化又はカルボキシメチル化により（但し、キチンの他の改質方法も好適である）、塩基条件下で可溶であるよう改質された、多くの場合キトサンとして既知である脱アクチル化（deacytylated）キチンが挙げられる。Ｃｈｉｔｏｓａｎ  Ｄｅｒｉｖａｔｉｖｅｓ  Ｏｂｔａｉｎｅｄ  Ｂｙ  Ｃｈｅｍｉｃａｌ  Ｍｏｄｉｆｉｃａｔｉｏｎｓ  Ｆｏｒ  Ｂｉｏｍｅｄｉｃａｌ  Ａｎｄ  Ｅｎｖｉｒｏｎｍｅｎｔａｌ  Ａｐｐｌｉｃａｔｉｏｎｓ；Ｉｎｔｅｒｎａｔｉｏｎａｌ  Ｊｏｕｒｎａｌ  ｏｆ  Ｂｉｏｌｏｇｉｃａｌ  Ｍａｃｒｏｍｏｌｅｃｕｌｅｓ；４３巻，５版，２００８年１２月１日，４０１〜４１４頁を参照されたい。
【００９６】
好適なポリシロキサンとしては、ジメチルポリシロキサン、メチルフェニルポリシロキサン、環状シリコーン、並びにアミノ、脂肪酸、アルコール、ポリエーテル、エポキシ、フルオロ、グリコシド及び／又はアルキル基により修飾されたシリコーン化合物が挙げられる。本発明に従う好ましいシリコーン化合物としては、商標名ＡＢＩＬ（登録商標）でＧｏｌｄｓｃｈｍｉｄｔ  ＡＧ（Ｅｓｓｅｎ）から入手可能なポリシロキサン−ポリエーテルコポリマー（別名、ジメチコンコポリオール）、特にＡＢＩＬ（登録商標）Ｂ  ８８４３、ＡＢＩＬ（登録商標）Ｂ  ８８５１、ＡＢＩＬ（登録商標）Ｂ  ８８５２、ＡＢＩＬ（登録商標）Ｂ  ８８６３、ＡＢＩＬ（登録商標）Ｂ  ８８１８３、及びＡＢＩＬ（登録商標）Ｂ  ８８１８４などのＢ  ８８製品群の、ポリシロキサン−ポリエーテルコポリマーが挙げられる。
【００９７】
界面活性剤と併用してもしなくても、十分な量の泡を形成させ及び／又は十分な程度に泡を安定化させる、高分子泡安定剤及び高分子乳化剤をパーソナルケア組成物に抽出させる。概して、高分子泡安定剤及び高分子乳化剤は、パーソナルケア組成物の１〜２５重量％、好ましくは２〜１５重量％、より好ましくは２〜１０重量％の量で存在させることになる。
【００９８】
香料
パーソナルケア組成物には香料成分を含有させてもよい。香料は、多くの場合、精油、芳香族化合物及び溶媒（エタノール、水及び香油、例えばホホバ油など）などの成分の混合物であり、パーソナルケア組成物のために選択されたトップノート、ミドルノート、及びベースノートを有し、感覚的な体験を提供するものである。このような成分は、「Ｐｅｒｆｕｍｅ  ａｎｄ  Ｆｌａｖｏｒ  Ｃｈｅｍｉｃａｌｓ（Ａｒｏｍａ  Ｃｈｅｍｉｃａｌｓ）」（Ｓｔｅｆｆｅｎ  Ａｒｃｔａｎｄｅｒ，本出願者が出版，１９６９年）に見出すことができる。
【００９９】
カチオン性付着ポリマー
パーソナルケア組成物は、セルロース、グアー、カチオン性加工デンプン、ガラクトマンナンポリマー誘導体、及び好適な合成付着ポリマーから選択されるカチオン性付着ポリマーを含み得る。
【０１００】
セルロース又はグアーカチオン性付着ポリマー
本発明のパーソナルケア組成物には、セルロース又はグアーカチオン性付着ポリマーを含有させることができる。このようなセルロース又はグアー付着ポリマーは、パーソナルケア組成物の使用が意図されるｐＨ下で約３ｍｅｑ／ｇ〜約４．０ｍｅｑ／ｇの電荷密度を有する。使用が意図されるｐＨは、概して約ｐＨ  ３〜約ｐＨ  ９、好ましくは約ｐＨ  ４〜約ｐＨ  ８の範囲である。本発明の組成物のｐＨは、未加工の状態で測定される。
【０１０１】
本発明の一実施形態では、セルロースポリマーは、工業的（ＣＴＦＡ）にはポリクオタニウム１０と呼ばれかつＡｍｅｒｃｈｏｌ社（Ｅｄｉｓｏｎ，Ｎ．Ｊ．，ＵＳＡ）から入手可能である、エポキシド置換したトリメチルアンモニウムとヒドロキシエチルセルロースを反応させた塩である。
【０１０２】
他の好適なカチオン性付着ポリマーとしては、グアーヒドロキシプロピルトリモニウムクロリドなどのカチオン性グアーガム誘導体が挙げられ、具体例としては、Ｒｈｏｎｅ−Ｐｏｕｌｅｎｃ社から市販のＪａｇｕａｒシリーズ（好ましくはＪａｇｕａｒ  Ｃ−１７（登録商標））が挙げられる。
【０１０３】
カチオン性加工デンプンポリマー
パーソナルケア組成物には水溶性のカチオン性加工デンプンポリマーを含有させても良い。カチオン性加工デンプンポリマーは、少なくとも約３．０ｍｅｑ／ｇの電荷密度を有する。このような電荷密度を得るための化学修飾としては、限定するものではないが、デンプン分子へのアミノ及び／又はアンモニウム基の付加が挙げられる。非限定例としては、これらのアンモニウム基としては、ヒドロキシプロピルトリモニウムクロリド、トリメチルヒドロキシプロピルアンモニウムクロリド、ジメチルステアリルヒドロキシプロピルアンモニウムクロリド、及びジメチルドデシルヒドロキシプロピルアンモニウムクロリドなどの置換基が挙げられる。Ｓｏｌａｒｅｋ，Ｄ．Ｂ．，「Ｃａｔｉｏｎｉｃ  Ｓｔａｒｃｈｅｓ  ｉｎ  Ｍｏｄｉｆｉｅｄ  Ｓｔａｒｃｈｅｓ」：Ｐｒｏｐｅｒｔｉｅｓ  ａｎｄ  Ｕｓｅｓ，Ｗｕｒｚｂｕｒｇ，Ｏ．Ｂ．，Ｅｄ．，ＣＲＣ  Ｐｒｅｓｓ，Ｉｎｃ．（Ｂｏｃａ  Ｒａｔｏｎ，Ｆｌｏｒｉｄａ），１９８６年，１１３〜１２５頁を参照されたい。
【０１０４】
化学修飾前のデンプン源は、塊茎、マメ科植物、穀草及び穀物などの様々な供給源から選択することができる。このデンプン源の非限定例としては、トウモロコシデンプン、小麦デンプン、米デンプン、もちトウモロコシデンプン、オート麦デンプン、キャッサバデンプン、もち麦、もち米デンプン（waxy rice starch）、グルテン状米デンプン、もち米デンプン（sweet rice starch）、ａｍｉｏｃａ、じゃがいもデンプン、タピオカデンプン、オート麦デンプン、サゴデンプン、もち米（sweet rice）、又はこれらの組み合わせが挙げられる。もちトウモロコシデンプンが好ましい。
【０１０５】
ガラクトマンナンポリマー誘導体
本発明のパーソナルケア組成物には、モノマー対モノマー基準でマンノース対ガラクトース比が２：１超であるガラクトマンナンポリマー誘導体を含有させてもよい。ガラクトマンナンポリマー誘導体は、カチオン性のガラクトマンナンポリマー誘導体、及び正味電荷が正である両性ガラクトマンナンポリマー誘導体からなる群から選択される。
【０１０６】
非グアー性ガラクトマンナンポリマー誘導体の調製に使用するガムは、典型的には植物の種又は豆などの、天然に生じる材料として得られる。様々な非グアー性のガラクトマンナンポリマーの例としては、限定するものではないが、タラガム（マンノース３部／ガラクトース１部）、イナゴマメ（Ｌｏｃｕｓｔ  ｂｅａｎ若しくはＣａｒｏｂ）（マンノース４部／ガラクトース１部）、及びカッシアガム（マンノース５部／ガラクトース１部）が挙げられる。本明細書において、用語、「非グアー性のガラクトマンナンポリマー誘導体」は、非グアー性のガラクトマンナンポリマーを化学的に修飾したカチオン性ポリマーを指す。好ましい非グアー性のガラクトマンナンポリマー誘導体は、商標名Ｃａｓｓｉａ  ＥＸ−９０６でＮｏｖｅｏｎ社から市販されているカチオン性カッシアである。
【０１０７】
パーソナルケア組成物には、組成物の少なくとも約０．０５重量％のガラクトマンナンポリマー誘導体を含有させることもできる。一実施形態では、パーソナルケア組成物は、組成物の約０．０５重量％〜約２重量％のガラクトマンナンポリマー誘導体を含有する。好適なガラクトマンナンポリマー誘導体は、米国特許出願公開第２００６／００９９１６７号明細書（Ｓｔａｕｄｉｇｅｌ  ｅｔ  ａｌ．）に記載のものである。
【０１０８】
合成付着ポリマー
合成付着ポリマーも、パーソナルケア組成物の約０．０５重量％〜約２重量％でパーソナルケア組成物に使用することができる。好適な合成付着ポリマーとしては、米国特許第７，５８５，８２７号明細書の、特に５段１〜６７行及び８段５行〜１５段５行に記載されるものが挙げられる。Ｎ，Ｎ，Ｎ−トリメチル−３−［（２−メチル−１−オキソ−２−プロペニル）アミノ］−１−プロパンアミニウムクロリドの合成ポリマー；
（ポリ（メタクリルアミドプロピルトリメチルアンモニウムクロリド））は好ましい合成ポリマーである。
【０１０９】
パーソナルケア組成物に好適な他の合成ポリマーとしては、米国特許出願公開第２００４／００１０１０６号明細書及び米国特許出願公開第２００７／０２０７１０９号明細書に記載のものが挙げられる。特に好適な合成ポリマーは、次式の非イオン性モノマー単位を含有する、正味電荷が正のランダムコポリマーである：
【０１１０】
【化６】
0005624156.tif 000007
式中、ＲはＨ又はＣ1〜4アルキルであり；かつＲ1及びＲ2は、Ｈ、Ｃ1〜4アルキル、ＣＨ2ＯＣＨ3、ＣＨ2ＯＣＨ2ＣＨ（ＣＨ3）2、及びフェニルからなる群から独立して選択されるか、あるいは共にＣ3〜6シクロアルキルであり；カチオン性モノマー単位は正味電荷を２以上有する次式のものである：
【０１１１】
【化７】
0005624156.tif 000008
式中、ｋ＝１、各ｖ、ｖ’及びｖ”は独立して１〜６の整数であり、ｗは０であるか、１〜１０の整数であり、かつＸ-はアニオンである。ｋ＝１、ｖ＝３、ｖ’＝１、及びｖ”＝３、ｗ＝１、ｙ＝１かつＸ−がＣｌ−の場合、好ましいカチオン性モノマーである（米国特許出願公開第２００７／０２０７１０９号明細書の段落［００５１］を参照されたい）。
【０１１２】
剥離剤
ボディーソープ組成物及び洗顔料組成物は、粒子状の洗浄剤又は剥離剤を含有し得る。手動式のノンエアゾールタイプのディスペンサ及びディスペンサの構成要素（多孔質要素などの）と使用するのに好適であるならば、既知の粒子状の洗浄剤又は剥離剤が許容され得る。
【０１１３】
コンディショニング剤
パーソナルケア組成物にはコンディショニング剤を含むコンディショニング組成物を含有させることもでき、あるいはコンディショニング剤を含むコンディショニング組成物と組み合わせて使用することができる。好適なコンディショニング剤は、シリコーン材料、アミノシリコーン、脂肪アルコール、ポリマー樹脂、ポリオールカルボン酸エステル、カチオン性ポリマー、カチオン性界面活性剤、不溶性の油及び油由来の材料、並びにこれらの混合物から選択される。追加材料としては、グリセリン及びソルビトールが挙げられる。特に有用なコンディショニング物質は、カチオン性ポリマーである。カチオン性ポリマー型のコンディショナーは、一級、二級、三級及び四級アミン基であって、ポリマー主鎖の一部を形成するか又はポリマー主鎖に直接結合する側鎖置換基に含まれることのあるアミン基から選択される少なくとも１つのアミン基の単位を含むものから選択することができる。
【０１１４】
シリコーンは、ポリアルキルシロキサン油、トリメチルシリル又はヒドロキシジメチルシロキサン末端基を含有する直鎖ポリジメチルシロキサン油、ポリメチルフェニルシロキサン、ポリジメチルフェニルシロキサン又はポリジメチルジフェニルシロキサン油、シリコーン樹脂、その一般的構造中に、１つ又は多数の有機官能基（類）を有する有機官能シロキサン（同一又は異なり、シロキサン鎖に直接結合する）又はこれらの混合物から選択されることができる。前記有機官能基は、ポリエチレンオキシ及び／又はポリプロピレンオキシ基、（過）フッ素化基、チオール基、置換又は非置換アミノ基、カルボキシレート基、ヒドロキシレート基、アルコキシル化基、クオタニウムアンモニウム基、両性及びベタイン基から選択される。シリコーンは、純流体として、又は事前に形成されたエマルションの形態で使用され得る。
【０１１５】
コンディショニング剤は概してパーソナルケア組成物の約０．０５重量％〜約２０重量％の濃度で使用することができ、例えばパーソナルケア組成物の約０．１重量％〜約１５重量％、約０．２重量％〜約１０重量％、約０．２重量％〜約２重量％の濃度で使用することができる。
【０１１６】
毛髪着色剤組成物成分
染毛剤組成物は、酸化染料前駆体を含む酸化色調剤組成物（本明細書において、以降、色調剤組成物）を含有するものであり、酸化色調剤組成物を通して、例えば、過酸化水素などの酸化剤（顕色剤組成物として存在）の作用により、あるいは大気中酸素の存在下で（必要がある場合には好適な酵素系が付加される）染色が生じる。
【０１１７】
一般的に、染毛組成物における色調剤配合物及び顕色剤配合物の重量比は、顕色剤組成物及び色調剤組成物の強度に応じ５：１〜１：５の範囲であり、例えば１：１、１：１．５、１：２、１：３及び１：４である。
【０１１８】
酸化染料前駆体
染毛剤組成物には、一次中間体又はカップラーの形態の酸化染料化合物を含有させることができる。使用に好適な化合物は、それらが塩基である場合に限り、遊離塩基として、又は例えば、塩酸、臭化水素酸、クエン酸、酢酸、乳酸、コハク酸、酒石酸若しくは硫酸などの、生理学的に適合性のある、それらの有機酸塩若しくは無機酸塩の形態で使用してもよく、あるいは、それらが芳香族ヒドロキシル基を有する場合に限り、塩基塩、例えばアルカリフェノレートの形態で使用してもよい。
【０１１９】
これらの酸化染料化合物は、当該技術分野において周知であり、芳香族ジアミン類、アミノフェノール類、芳香族ジオール類及びこれらの誘導体が挙げられる（酸化染料前駆体の代表的ではあるが非包括的なリストは、「Ｃｏｓｍｅｔｉｃ  Ｓｃｉｅｎｃｅ  ａｎｄ  Ｔｅｃｈｎｏｌｏｇｙ」（Ｉｎｔｅｒｓｃｉｅｎｃｅ，Ｓｐｅｃｉａｌ  Ｅｄｎ．Ｖｏｌ．２，３０８〜３１０頁）に見ることができる）。
【０１２０】
以下に詳細に述べられる前駆体は、単に例示されたものであり、本明細書における毛髪ケア組成物又は色調剤組成物などの下位成分を限定することを意図したものではないことが理解されるべきである。前駆体は以下のものである：１，７−ジヒドロキシナフタレン（１，７−ナフタレンジオール）；１，３−ジアミノベンゼン（ｍ−フェニレンジアミン）；１−メチル−２，５−ジアミノベンゼン（トルエン−２，５−ジアミン）；１，４−ジアミノベンゼン（ｐ−フェニレンジアミン）；１，３−ジヒドロキシベンゼン（レゾルシノール）；１，３−ジヒドロキシ−４−クロロベンゼン，（４−クロロレゾルシノール）；１−ヒドロキシ−２−アミノベンゼン，（ｏ−アミノフェノール）；１−ヒドロキシ−３−アミノベンゼン（ｍ−アミノフェノール）；１−ヒドロキシ−４−アミノ−ベンゼン（ｐ−アミノフェノール）；１−ヒドロキシナフタレン（１−ナフトール）；１，５−ジヒドロキシナフタレン（１，５−ナフタレンジオール）；２，７−ジヒドロキシナフタレン（２，７−ナフタレンジオール）；１，４−ジヒドロキシベンゼン（ヒドロキノン）；１−ヒドロキシ−４−メチルアミノベンゼン（ｐ−メチルアミノフェノール）；６−ヒドロキシベンゾ−モルホリン（ヒドロキシベンゾモルホリン）；１−メチル−２−ヒドロキシ−４−アミノベンゼン（４−アミノ−２−ヒドロキシ−トルエン）；１−メチル−２−ヒドロキシ−４−（２’−ヒドロキシエチル）アミノベンゼン（２−メチル−５−ヒドロキシ−エチルアミノ−フェノール）；１，２，４−トリヒドロキシベンゼン（１，２，４−トリヒドロキシベンゼン）；１−フェノール−３−メチルピラゾール−５−オン（フェニルメチルピラゾロン）；１−（２’−ヒドロキシエチルオキシ）−２，４−ジアミノベンゼン（２，４−ジアミノフェノキシ−エタノールＨＣｌ）；１−ヒドロキシ−３−アミノ２，４−ジクロロベンゼン（３−アミノ−２，４−ジクロロ−フェノール）；１，３−ジヒドロキシ−２−メチルベンゼン（２−メチルレゾルシノール）；１−アミノ−４−ビス−（２’−ヒドロキシエチル）アミノベンゼン（Ｎ，Ｎ−ビス（２−ヒドロキシ−エチル）−ｐ−フェニレン−ジアミン）；２，４，５，６−テトラアミノピリミジン（ＨＣレッド１６）；１−ヒドロキシ−３−メチル−４−アミノベンゼン（４−アミノ−ｍ−クレゾール）；１−ヒドロキシ−２−アミノ−５−メチルベンゼン（６−アミノ−ｍ−クレゾール）；１，３−ビス−（２，４−ジアミノフェノキシ）プロパン（１，３−ビス−（２，４−ジアミノ−フェノキシ）−プロパン）；１−（２’−ヒドロキシエチル）−２，５−ジアミノベンゼン（ヒドロキシエチル−ｐ−フェニレンジアミンサルフェート）；１−メトキシ−２−アミノ−４−（２’−ヒドロキシエチルアミノ）ベンゼン，（２−アミノ−４−ヒドロキシエチルアミノアニソール）；１−ヒドロキシ−２−メチル−５−アミノ−６−クロロベンゼン（５−アミノ−６−クロロ−ｏ−クレゾール）；１−ヒドロキシ−２−アミノ−６−メチルベンゼン（６−アミノ−ｏ−クレゾール）；１−（２’−ヒドロキシエチル）−アミノ−３，４−メチレンジオキシベンゼン（ヒドロキシエチル−３，４−メチレンジオキシ−アニリンＨＣｌ）；２，６−ジヒドロキシ−３，４−ジメチルピリジン（２，６−ジヒドロキシ−３，４−ジメチルピリジン）；３，５−ジアミノ−２，６−ジメトキシピリジン（２，６−ジメトキシ−３，５−ピリジンジアミン）；５，６−ジヒドロキシインドール（５，６−ジヒドロキシ−インドール）；４−アミノ−２−アミノメチルフェノール（２−アミノエチル−ｐ−アミノ−フェノールＨＣｌ）；２，４−ジアミノ−５−メチルフェネトール（２，４−ジアミノ−５−メチル−フェネトールＨＣｌ）；２，４−ジアミノ−５−（２’−ヒドロキシエチルオキシ）トルエン（２，４−ジアミノ−５−メチルフェノキシエタノールＨＣｌ）；５−アミノ−４−クロロ−２−メチルフェノール（５−アミノ−４−クロロ−ｏ−クレゾール）；１，３−ビス（Ｎ（２−ヒドロキシエチル）Ｎ（４−アミノ−フェニル）アミノ）−２−プロパノール（ヒドロキシプロピル−ビス−（Ｎ−ヒドロキシ−エチル−ｐ−フェニレンジアミン）ＨＣＬ）；６−ヒドロキシインドール（６−ヒドロキシ−インドール）；２，３−インドリンジオン（ＩＳＡＴＩＮ）；３−アミノ−２−メチルアミノ−６−メトキシピリジン（ＨＣブルーＮＯ．７）；１−フェニル−３−メチル−５−ピラゾロン（２，４−ジヒドロ−５−メチル−２−フェニル−３Ｈ−ピラゾール−３−オン）；２−アミノ−３−ヒドロキシピリジン（２−アミノ−３−ヒドロキシピリジン）；５−アミノ−サリチル酸；１−メチル−２，６−ビス（２−ヒドロキシ−エチルアミノ）ベンゼン（２，６−ヒドロキシエチルアミノ−トルエン）；４−ヒドロキシ−２，５，６−トリアミノピリミジン（２，５，６−トリアミノ−４−ピリミジノール硫酸塩）；
２，２’−［１，２−エタンジイル−ビス−（オキシ−２，１−エタンジイルオキシ）］−ビス−ベンゼン−１，４−ジアミン（ＰＥＧ−３，２’，２’−ジ−ｐ−フェニレンジアミン）；５，６−ジヒドロキシインドリン（ジヒドロキシインドリン）；Ｎ，Ｎ−ジメチル−３−ウレイドアニリン（ｍ−ジメチル−アミノ−フェニル尿素）；２，４−ジアミノ−５−フルオロトルエン硫酸塩水和物（４−フルオロ−６−メチル−ｍ−フェニレンジアミン硫酸塩）；１−アセトキシ−２−メチルナフタレン（１−ヒドロキシエチル−４，５−ジアミノピラゾール硫酸塩）；１−アセトキシ−２−メチルナフタレン（２−メチル−１−ナフトール）；２−アミノ−５−エチルフェノール（２−アミノ−５−エチルフェノール）；２，４−ジクロロ−３−アミノフェノール（３−アミノ−２，４−ジクロロフェノール）；及びｐ−アニリノアニリン（Ｎ−フェニル−Ｐ−フェニレンジアミン）。
【０１２１】
色調剤組成物に含有させる酸化染料前駆体の合計量は、最大で色調剤組成物の約１２重量％であり、特に約０．０５重量％〜約６重量％である。
【０１２２】
更に、特定の色合いを得るために、例えば、ヘナ又はインディゴのような植物色素、トリフェニルメタン染料、芳香族ニトロ染料、アゾ染料、キノン染料、カチオン性染料（塩基性染料）又はアニオン性染料（酸性染料）等の従来の天然及び／又は合成の直接染料を着色剤に更に含有させることが可能である。
【０１２３】
アルカリ化剤
色調剤組成物はアルカリ化剤を含み、好ましくはアンモニウムイオン供給源及び又はアンモニアを含む。アルカノールアミド例えばモノエタノールアミン、ジエタノールアミン、トリエタノールアミン、モノプロパノールアミン、ジプロパノールアミン、トリプロパノールアミン、２−アミノ−２−メチル−１，３−プロパンジオール、２−アミノ−２−メチル−１−プロパノール、及び２−アミノ−２−ヒドロキシメチル−１，３−プロパンジオール、並びにグアニジウム塩などの、当該技術分野において既知の任意のアルカリ化剤を使用することもできる。特に好ましいアルカリ化剤は、アンモニウムイオン資源をもたらすものである。いずれのアンモニウムイオン資源も本明細書で用いるのに好適である。好ましい資源としては、塩化アンモニウム、硫酸アンモニウム、硝酸アンモニウム、リン酸アンモニウム、酢酸アンモニウム、炭酸アンモニウム、炭酸水素アンモニウム、カルバミン酸アンモニウム、水酸化アンモニウム、過炭酸塩、アンモニア及びこれらの混合物が挙げられる。特に好ましいのは、炭酸アンモニウム、カルバミン酸アンモニウム、アンモニア、及びこれらの混合物である。
【０１２４】
色調剤組成物には、約０．１重量％〜約１０重量％、例えば約０．５重量％〜約５重量％、約１重量％〜約３重量％のアルカリ化剤（アンモニウムイオンなどの供給源）を含有させることもできる。
【０１２５】
酸化剤
本明細書における酸化染毛剤組成物、概して顕色剤組成物中の酸化染毛剤組成物は、酸化剤の供給源を少なくとも１つ含み得る。本明細書に用いるのに好ましい酸化剤は、水溶性過酸素酸化剤である。本明細書で定義されるとき、「水溶性」とは、標準状態で、少なくとも０．１ｇ、好ましくは１ｇ、より好ましくは１０ｇの前記酸化剤を１リットルの脱イオン水に溶解することができることを意味する。
【０１２６】
酸化剤は、水溶性酸化剤（水溶液中で過酸化水素を生成することのできる無機過酸材料）から選択することができる。酸化剤は、水溶液中に提供されてもよいし、又は使用前に溶解される粉末として提供されてもよい。水溶性酸化剤としては、過酸化水素、無機アルカリ金属過酸化物、例えば過ヨウ素酸ナトリウム及び過酸化ナトリウム、並びに有機過酸化物、例えば過酸化尿素、メラミン過酸化物、並びに無機過水和物塩の漂白化合物、例えば過ホウ酸塩、過炭酸塩、過リン酸塩、過ケイ酸塩、過硫酸塩等のアルカリ金属塩が挙げられる。これらの無機過水和物塩は、一水和物、四水和物などとして組み込まれてもよい。アルキル及びアリール過酸化物、並びに／又はペルオキシダーゼも用いてもよい。また必要に応じて、２つ以上のそのような酸化剤の混合物を用いることもできる。本発明による組成物に用いるのに好ましいのは、過酸化水素、過炭酸塩、過硫酸塩及びこれらの組み合わせである。
【０１２７】
酸化剤は、酸化染毛剤組成物又は顕色剤組成物の約０．１重量％〜約４０重量％、好ましくは約１％〜約３０重量％、及び最も好ましくは約２％〜約３０重量％を含み得る。本明細書で使用するに当たり別の可能性のある酸化剤は、ペルオキシモノ炭酸イオン資源である。好ましくは、このような資源は、過酸化水素資源及び炭酸水素イオン資源からその場で形成される。このような酸化剤は、９．５以下、好ましくは７．５〜９．５、より好ましくは約９の（毛髪ケア組成物の）ｐＨにおいて、特に効果的であることが分かっている。更に、この系はまた、アンモニア又はアンモニウムイオン資源と組み合わせると特に効果的である。
【０１２８】
したがって、ペルオキシモノ炭酸イオンの任意の資源を利用することができる。本明細書に用いるのに好適な資源としては、炭酸イオン、カルバミン酸イオン、及び炭酸水素イオンのナトリウム塩、カリウム塩、グアニジン塩、アルギニン塩、リチウム塩、カルシウム塩、マグネシウム塩、バリウム塩、及びアンモニウム塩、並びにこれらの混合物、例えば炭酸ナトリウム、炭酸水素ナトリウム、炭酸カリウム、炭酸水素カリウム、炭酸グアニジン、炭酸水素グアニジン、炭酸リチウム、炭酸カルシウム、炭酸マグネシウム、炭酸バリウム、炭酸アンモニウム、炭酸水素アンモニウム、及びこれらの混合物が挙げられる。また、炭酸イオン及び酸化剤の双方の供給源を得るために、過炭酸塩も使用してもよい。炭酸イオン、カルバミン酸イオン、及び炭酸水素イオンの好ましい供給源は、炭酸水素ナトリウム、炭酸水素カリウム、カルバミン酸アンモニウム、及びこれらの混合物である。
【０１２９】
酸化剤は、約０．１重量％〜約１５重量％、好ましくは約１重量％〜約１０重量％、及び最も好ましくは約１重量％〜約８重量％の炭酸水素イオンを含むことができ、かつ酸化剤の約０．１重量％〜約１０重量％、好ましくは約１重量％〜約７重量％、及び最も好ましくは約２重量％〜約５重量％の過酸化水素資源を含むことができる。
【０１３０】
キレート剤
染毛剤組成物又はそれらの下位成分（例えば、色調剤組成物又は顕色剤組成物など）には、カルボン酸キレート剤、ホスホン酸キレート剤、ポリリン酸キレート剤、これらの塩、又はこれらの混合物が含まれる。好適なキレート剤としては、ジエチレントリアミン五酢酸（ＤＴＰＡ）、エチレンジアミン−Ｎ，Ｎ’−二コハク酸（ＥＤＤＳ）、エチレンジアミン−Ｎ，Ｎ’−ジグルタル酸（ＥＤＤＧ）、２−ヒドロキシプロピレンジアミン−Ｎ，Ｎ’−二コハク酸（ＨＰＤＤＳ）、グリシンアミド−Ｎ，Ｎ’−二コハク酸（ＧＡＤＳ）、エチレンジアミン−Ｎ−Ｎ’−ビス（オルト−ヒドロキシフェニル酢酸）（ＥＤＤＨＡ）、ジエチレン−トリアミン−ペンタ−（メチレンホスホン酸）（ＤＴＰＭＰ）、これらの塩、これらの誘導体、又はこれらの混合物が挙げられる。
【０１３１】
染毛剤組成物又はその下位成分（例えば、色調剤組成物など）には、染毛剤組成物又はその下位成分の約０．０１重量％〜約５重量％、約０．２５重量％〜約３重量％、約０．５％〜約１重量％の、キレート剤、それらの塩、誘導体又は混合物などが含まれる。
【０１３２】
ラジカルスカベンジャー
染毛剤組成物は更にラジカルスカベンジャー供給源を含み得る。本明細書に用いるのに好適なラジカルスカベンジャーは、アルカノールアミン、アミノ糖、アミノ酸、アミノ酸のエステル及びこれらの混合物の部類から選択してよい。特に好ましい化合物は次のものである：モノエタノールアミン、３−アミノ−１−プロパノール、４−アミノ−１−ブタノール、５−アミノ−１−ペンタノール、１−アミノ−２−プロパノール、１−アミノ−２−ブタノール、１−アミノ−２−ペンタノール、１−アミノ−３−ペンタノール、１−アミノ−４−ペンタノール、３−アミノ−２−メチルプロパン１−オール、１−アミノ−２−メチルプロパン２−オール、３−アミノプロパン−１，２−ジオール、グルコサミン、Ｎ−アセチルグルコサミン、グリシン、アルギニン、リジン、プロリン、グルタミン、ヒスチジン、サルコシン、セリン、グルタミン酸、トリプトファン、及びこれらの混合物、並びに、これらのカリウム塩、ナトリウム塩及びアンモニウム塩などの塩、並びにこれらの混合物。
【０１３３】
特に好ましい化合物はグリシン、サルコシン、リジン、セリン、２メトキシエチルアミン、グルコサミン、グルタミン酸、モルホリン、ピペリジン、エチルアミン、３アミノ−１−プロパノール及びこれらの混合物である。
【０１３４】
染毛剤組成物は、染毛剤組成物又はその下位成分（色調剤組成物など）の好ましくは約０．１重量％〜１０重量％、好ましくは約１重量％〜７重量％のラジカルスカベンジャーを含む。
【０１３５】
好ましくは、ラジカルスカベンジャーは、ラジカルスカベンジャー対カーボネートイオン（又はペルオキシモノカーボネートイオン）の重量比が、２：１〜１：４となるような量で存在する。ラジカルスカベンジャーはまた、アルカリ化剤と同一の種にならないように好ましく選択される。
【０１３６】
ｐＨ
本発明の染毛剤組成物は、ｐＨ  ８〜１２、好ましくは８〜１０を有してよい。ペルオキシモノカーボネートイオンを含む実施形態の場合、好ましくは、ｐＨは９．５以下であり、より好ましくは約９．５〜約７．５、更により好ましくは約９．５〜約８．４、最も好ましくは約９．４〜約８．５、及び更により好ましくはｐＨ約９．３又は９．０である。
【０１３７】
色調剤組成物又は顕色剤組成物などのなどの、染毛剤組成物の任意の下位成分は、染毛剤組成物とは異なるｐＨを有してもよい。例えば、色調剤組成物がアルカリ化剤を含む場合、色調剤組成物はアルカリ性のｐＨ、例えば８超のｐＨを有し得る。
【０１３８】
本組成物のｐＨは、Ｍｅｔｔｌｅｒ  Ｔｏｌｅｄｏ製ＭＰ２２０又はＭＰ２２５  ｐＨ装置（実験室用標準ｐＨ電極を装着）を使用して決定できる。装置は、毎回使用前に、較正用標準緩衝溶液及び標準較正手順を使用して較正される。
【０１３９】
試験方法
粘度
低せん断粘度
次の形状を有するＴＡ  ＩｎｓｔｒｕｍｅｎｔｓのＡＲ２０００レオメーターにより、低せん断粘度を測定する：
４０ｍｍ  ２°ステンレス鋼コーン
４０ｍｍステンレススチールプレート
ＤＩＮ規格又は同心円錐形シリンダ
収集したデータを、次いでＴＡ  Ｉｎｓｔｒｕｍｅｎｔｓ  ＡＲ２０００レオメーターのデータ解析プログラムを用いてグラフ化し、実施の開始点を低せん断粘度として記録する。記録したデータの相関関係を確実なものにするためにも、データは少なくとも２度実施したものであるべきである。
【０１４０】
パーソナルケア組成物を製造するために２つの異なる成分から生じる、（上記に定義の）混合粘度を必要とする製品に関し、低せん断粘度は、以下のようにサンプル調製した後に上記のように測定することができる。
【０１４１】
サンプル調製−染毛剤組成物
色調剤組成物及び顕色剤組成物を混ぜ合わせ、染毛剤組成物を作製する。染毛剤組成物のサンプル調製は、以下のような手順であるべきである：
１．重量比１：１の色調剤組成物及び顕色剤組成物を、密閉することができ、そこから抽出することのできる容器内で混ぜる。容器は密閉させるかあるいは蓋をすべきである。
２．密閉させることができる容器を、次に機械ミキサー（以下に記載）に配置し、１５秒間振とうする。
３．密閉することができる容器の内容物を、１００  ｔａｌｌディスペンサ（ＦｌａｃｋＴｅｋ  Ｉｎｃ．から入手可能）に注ぎ入れ、次に１９５０ｒｐｍに設定したＤＡＣ  ８００  ＦＶＺスピードミキサー（ＦｌａｃｋＴｅｋ  Ｉｎｃ．）に１０秒間配置し、サンプルから出てきた任意の気泡を吸い取った。
４．サンプルの頂部の気泡又は泡を含有させるよう時計皿を使用しながら、粘度を測定するのに好適な容器内に液体をデカントする。
５．次にサンプルの粘度を測定した。
【０１４２】
機械ミキサー
機械ミキサー（３１）は、消費者による振とう動作を再現するための装置である。振とう動作とは、手首を伸ばした状態で肘を旋回点（支点）として用い、旋回点で腕を上下に動かす動作である。
【０１４３】
図５の機械ミキサー（３１）は、頂部壁（３３）、底部壁（３５）、２つの垂直な側壁（３７ａ，３７ｂ）、中央パネル（３９）、背部パネル（１１）及び蝶番式ドア（４３）（密閉型デバイスにアクセスするために蝶番式に開閉することができる）を有する密閉型デバイスである。下に更に記載される金属製のバー（４５）及びドア安全スイッチ（４７）が、中央パネル（３９）と蝶番式ドア（４３）との間にある中央パネル（３９）の一面に位置する。空調制御用ソレノイドモーター（４９）、電気式排気装置（５１）、空気レギュレーター（５３）、電力供給装置（５５）及び安全リレー（５７）が中央パネル（４３）及び背側パネル（４１）の間の中央パネル（４３）の第２面に位置する。
【０１４４】
図６（蝶番式ドア（４３）、頂部壁（３３）、底部壁（３５）又は２枚の垂直な側壁（３７ａ，３７ｂ）は省略）の機械ミキサー（３１）は、長さ４５．１６ｃｍの金属製のバー（４５）を含む。この金属製のバー（４５）は、一端に旋回点（５９）を有し、かつもう一端に、機械ミキサー（１）を作動させている間に酸化染毛剤組成物の容器を保持することができるクランプ手段（６１）を有する。金属製のバー（４５）は、θとして示される角度４４o（３４．５ｃｍ  ａｒｃ）の範囲で上下方向に移動すべきである。旋回点（５９）は、所望される角度範囲で、１５秒の間に４５サイクル（上下動作）作動させることのできる空調制御用ソレノイドモーター（４９）により作動する。
【０１４５】
図７（背側パネル（４１），頂部壁（３３），底部壁（３５）又は２つの垂直な側壁（３７ａ，３７ｂ）は省略）では、空調制御用ソレノイドモーター（４９）を見ることができる。この場合ソレノイドモーター（４９）は、電気式排気装置（５１）に接続されている。電気式排気装置（５１）は、空調制御用ソレノイドモーター（４９）を稼働させるための空気圧を生成する空気レギュレーター（５３）に接続される。空気レギュレーター（５３）は電力供給装置（５５）に接続され、かつ好ましくは機械ミキサー（３１）の空気加圧系である安全リレー（５７）に接続される。安全リレー（５７）は、２つの部分（４７ａ，４７ｂ）を含むドア安全スイッチ（４７）と接続される。第一部分（４７ａ）は蝶番式ドア（４３）上に部分的に配置され、及び第２部分（４７ｂ）は頂部壁（３３）、底部壁（３５）、２つの垂直壁（３７ａ，３７ｂ）、中央パネル（３９）及び蝶番式ドア（４３）により囲まれた空間の内側に配置されるものであり、２つの部分（４７ａ，４７ｂ）は安全リレー（５７）の回路を完結させるために互いに隣接させて配置される。蝶番式ドア（４３）を開けるとドア安全スイッチ（４７）の２つの部分（４７ａ，４７ｂ）が引き離され、安全リレー（５７）の回路が不完全なものとなり、機械ミキサーが停止する。
【０１４６】
プログラム制御可能な継電器（６３）、開始ボタン（６５）、停止ボタン（６７）が密閉型デバイスの外側に配置されると好ましい。プログラム制御可能な継電器（６３）は、端末ストリップ（６９）、母線又はその他の類似デバイスを介して電力供給装置（５５）に接続させることができる。プログラム制御可能な継電器（６３）により、作動時間、可動角の修正、動作速度などを設定できる。開始ボタン（６５）及び停止ボタン（６７）は同様に密閉型デバイスの外側に配置され、好ましくは蝶番式ドア（４３）に隣接して配置される。プログラム制御可能な継電器（６３）が利用される場合、各サンプルについて所望される設定を入力することができ、かつ開始ボタン（６５）及び停止ボタン（６７）により機械ミキサー（３１）の動作を制御することができる。
【０１４７】
泡の比体積
質量計（mass balance）に、既知の容積の容器を配置し、又は既知の容積を記録した容器を配置し、容器の質量をタール塗りし、次いで起泡式ディスペンサから容器の中に抽出することで、泡の比体積を測定する。得られる体積及び得られる泡質量を記録する。泡の質量により体積を除し、泡の比体積をｍＬ／ｇ単位で得る。
【０１４８】
配合
顕色剤組成物配合物
【０１４９】
【表１】
0005624156.tif 000009
【０１５０】
【表２】
0005624156.tif 000010
【０１５１】
【表３】
0005624156.tif 000011
【０１５２】
【表４】
0005624156.tif 000012
【０１５３】
【表５】
0005624156.tif 000013
【０１５４】
【表６】
0005624156.tif 000014
*しぼり出し式フォーマーは、次のものから様相が選択され、図１に示されるものと類似の構造を有するよう選択される。
１．空気進入開口部寸法：直径０．４〜０．６ｍｍの円形開口部
２．液体進入開口部の合計面積：３．１４ｍｍ2
３．開口部の液体進入開口部数：３つ
４．混合チャンバ退出部の後で流体接続するメッシュ系：１７０μｍの開口部を有する２つの接触したメッシュ
５．流体接続部の抽出開口部前のメッシュ：開口部７０μｍのメッシュを１つ
６．混合チャンバ退出開口部寸法：直径１ｍｍの円形開口部
７．ディップチューブ直径：３ｍｍ
【０１５５】
【表７】
0005624156.tif 000015
*しぼり出し式フォーマーは、次のものから様相が選択され、図３に示されるものと類似の構造を有するよう選択される。
・  空気進入開口部寸法：直径０．７ｍｍ
・  液体進入開口部の合計面積：１．８７〜２．４５ｍｍ2
・  液体進入開口部の開口部の数：３
・  混合チャンバ退出口の後の流体連通部中のメッシュ系：開口部１７０μｍのメッシュを１つ
・  抽出開口部前の流体連通部中のメッシュ：開口部１７０μｍのメッシュを１つ
・  混合チャンバ退出開口部寸法：直径１ｍｍの円形開口部
・  ディップチューブ直径：３ｍｍ
【０１５６】
本明細書で開示した寸法及び値は、列挙した厳密な数値に厳格に限定されるものとして解釈されるものではない。むしろ、別段の指定がない限り、そのような各寸法は、列挙した値と、その値を包含する機能的に等価な範囲との双方を意味することを意図したものである。例えば、「４０ｍｍ」として開示した寸法は、「約４０ｍｍ」を意味することを意図したものである。
【０１５７】
相互参照される又は関連するあらゆる特許又は出願書類を含め、本明細書において引用されるすべての文献は、明示的に除外ないしは制限されない限り、その全体を参考として本明細書に組み込まれる。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本書における用語のいずれかの意味又は定義が、参考として組み込まれた文献における同一の用語のいずれかの意味又は定義と相反する限りにおいて、本書においてその用語に与えられた定義又は意味が適用されるものとする。
【０１５８】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１】
0005624156.tif 000016
【図１Ａ】
0005624156.tif 000017
【図１Ｂ】
0005624156.tif 000018
【図２】
0005624156.tif 000019
【図３】
0005624156.tif 000020
【図３Ａ】
0005624156.tif 000021
【図３Ｂ】
0005624156.tif 000022
【図４】
0005624156.tif 000023
【図５】
0005624156.tif 000024
【図６】
0005624156.tif 000025
【図７】
0005624156.tif 000026